(57)【特許請求の範囲】
【請求項１】
第１の外板と、前記第１の外板の反対側の第２の外板と、これらの間のコアとを含むサンドイッチパネルの孔内に取り付けられるように構成されたインサートであって、
前記インサートが前記サンドイッチパネル内に取り付けられた際に、前記サンドイッチパネルの前記第１の外板及び前記第２の外板のうちの一方と係合するように構成されたパネル係合構造部と、
前記パネル係合構造部の反対側にある遠位端部と、
前記パネル係合構造部と前記遠位端部との間に位置する本体であって、前記インサートが前記サンドイッチパネル内に取り付けられた際に前記サンドイッチパネルの前記コアと係合するように構成されているとともに、前記パネル係合構造部から前記遠位端部に向かって前記本体内に延びる穴が形成されている本体と、
接着剤を使用せずに前記サンドイッチパネル内に前記インサートを保持するように構成されており、前記インサートが前記サンドイッチパネル内に取り付けられた際に、少なくとも一部が前記サンドイッチパネルの前記第１の外板と前記第２の外板との間に位置するように構成された保持部と、
前記サンドイッチパネルに対する前記インサートの回転を防止するように構成された回転防止部とを含み、前記回転防止部は、前記サンドイッチパネルに対する、前記穴の長軸を中心とする前記インサートの回転を阻止するように構成されており、前記インサートは、前記穴に二次的部材が挿入されるように構成されており、前記二次的部材は、前記インサートを介して、前記サンドイッチパネルに局所的負荷を伝達するように構成されており、
前記パネル係合構造部の前記回転防止部は、前記パネル係合構造部の主外縁から延びる少なくとも１つの延出部を含み、前記少なくとも１つの延出部は、前記インサートが前記サンドイッチパネル内に取り付けられた際に、前記第１の外板及び前記第２の外板のうちの一方に隣接して位置するように構成されており、前記少なくとも１つの延出部は、前記インサートが前記孔内で回転されるにともなって、前記第１の外板の一部を変形させるか、前記第２の外板の一部を変形させるように構成されている、インサート。
【請求項２】
前記サンドイッチパネルの前記第１の外板は、前記サンドイッチパネルの前記コアとは反対側を向く第１外側面、及び、前記第１外側面の反対側の、前記サンドイッチパネルの前記コアに対面する第１内側面を含み、前記インサートが前記サンドイッチパネル内に取り付けられた際に、前記パネル係合構造部の少なくとも一部は、前記第１の外板の前記第１内側面と前記コアとの間に位置するように構成されている、請求項１に記載のインサート。
【請求項３】
前記サンドイッチパネルの前記第２の外板は、前記サンドイッチパネルの前記コアとは反対側を向く第２外側面、及び、前記第２外側面の反対側の、前記サンドイッチパネルの前記コアに対面する第２内側面を含み、前記インサートが前記サンドイッチパネル内に取り付けられた際に、前記パネル係合構造部の少なくとも一部は、前記第２の外板の前記第２内側面と前記コアとの間に位置するように構成されている、請求項１又は２に記載のインサート。
【請求項４】
前記延出部は、その長さに沿って厚みが変化する楔形である、請求項１〜３のいずれかに記載のインサート。
【請求項５】
前記インサートは、前記サンドイッチパネル内に取り付けられる際に、前記サンドイッチパネルに対して回転させられて、前記パネル係合構造部の少なくとも一部が、前記コアと前記第１の外板及び前記第２の外板のうちの一方との間の位置まで回転するように構成されている、請求項１〜４のいずれかに記載のインサート。
【請求項６】
前記インサートの前記回転防止部は、前記サンドイッチパネル内での前記インサートの回転を実質的に防止するように構成されたリテイナーを含み、前記リテイナーは、前記リテイナーが前記インサートに対して取り付けられた際に前記インサートの前記穴と実質的に同心状となる貫通孔を含み、前記貫通孔は、前記穴と略等しい直径を有し、前記リテイナーは、前記リテイナーが前記インサートに対して取り付けられた際に、前記サンドイッチパネルの前記コアの少なくとも１つの露出部分を覆うように構成されている、請求項１〜５のいずれかに記載のインサート。
【請求項７】
前記リテイナーは、実質的に平らな面、及び、前記実質的に平らな面から延びる少なくとも１つの突出タブを含み、前記実質的に平らな面は、前記インサートの前記パネル係合構造部と係合するように構成されており、前記少なくとも１つの突出タブは、前記サンドイッチパネルの前記コア、前記第１の外板、及び前記第２の外板のうちの１つ又は複数と係合するように構成されている、請求項６に記載のインサート。
【請求項８】
第１の外板、前記第１の外板の反対側の第２の外板、及び、これらの間のコアを含むサンドイッチパネルに形成された孔に、インサートを取り付ける方法であって、
請求項１〜７のいずれかに記載の少なくとも１つのインサートを用意し、
前記サンドイッチパネルに少なくとも１つの孔を形成し、前記サンドイッチパネルの前記第１の外板は、第１内側面、及び、これと反対側の第１外側面を有し、前記サンドイッチパネルの前記第２の外板は、第２内側面、及び、これと反対側の第２外側面を有し、前記第１外側面と第２外側面とは互いに反対側を向いており、前記コアは、前記第１の外板の前記第１内側面と前記第２の外板の前記第２内側面との間に挟まれており、前記少なくとも１つの孔を形成するに際し、前記第１の外板及び前記第２の外板のうちの少なくとも一方を貫通して前記コア内に延びるように少なくとも１つの孔を形成し、
前記少なくとも１つの孔のそれぞれに少なくとも１つのインサートを取り付け、その際に、前記インサートの前記パネル係合構造部が前記サンドイッチパネルと係合し、前記インサートの前記本体が前記サンドイッチパネルの前記コア内の前記孔内に位置するようにする、方法。
【請求項９】
前記少なくとも１つのインサートを取り付けるに際し、前記少なくとも１つのインサートを前記孔の長軸を中心として回転させ、任意には、前記インサートを、少なくとも５°、少なくとも１０°、少なくとも２０°、少なくとも３０°、少なくとも４０°、少なくとも５０°、少なくとも６０°、少なくとも７０°、少なくとも８０°、少なくとも９０°、少なくとも１２０°、少なくとも１５０°、及び／又は、少なくとも１８０°回転させる、請求項８に記載の方法。
【請求項１０】
前記少なくとも１つのインサートを取り付けるに際し、前記孔に隣接する位置において、前記第１の外板と前記コアとの接合を破断する、請求項８又は９に記載の方法。
【請求項１１】
前記少なくとも１つのインサートを取り付けるに際し、前記孔に隣接する位置において、前記第２の外板と前記コアとの接合を破断する、請求項８〜１１のいずれかに記載の方法。
【請求項１２】
さらに、前記少なくとも１つのインサートにリテイナーを取り付け、前記リテイナーは、前記サンドイッチパネルに対する、前記少なくとも１つのインサートの動きを阻止するように構成されている、請求項８〜１１のいずれか１つに記載の方法。
【請求項１３】
前記リテイナーは複数のタブを含み、前記複数のタブの各々の少なくとも一部は、前記第１の外板の前記第１内側面と前記コアとの間に配置されるように構成されている、請求項１２に記載の方法。
【発明の詳細な説明】
【技術分野】
【０００１】
本開示は、サンドイッチパネルのインサート及びそれに関連する方法に関する。
【背景技術】
【０００２】
サンドイッチパネル（例えば、材料の２つの層すなわち外板の間に、コア構造体を挟んだもの）は、比強度が高いため、航空機の製造においてしばしば用いられる。航空機内のサンドイッチパネルの位置及び用途によっては、サンドイッチパネルに１つ又は複数の他の構造体や留め具を取り付けるために、当該パネルに１つ又は複数の円形のインサートを挿入又は挿通させる必要がある。円形のインサートを用いることによって、（例えば、ピン、ボルト、ねじ、ジョイント、又は他の構造物を介して）サンドイッチパネルに局所的負荷を伝達することができ、これによって、サンドイッチパネルを別の構造体に固定したり、複数のサンドイッチパネル同士を連結したり、１つ又は複数の外部の物体をサンドイッチパネルに取り付けたりすることができる。（例えば、円形のインサートによって、サンドイッチパネルの一方側から他方側にワイヤ束を通すための通路を形成することができる。また、円形インサートが、ピン、ボルト、又はその他の留め具を受容できる構成とすることによって、別のパネルや物体を、円形インサートを介して、サンドイッチパネルに固定することもできる。航空宇宙産業においては、このようなサンドイッチパネル及び円形インサートを用いて、航空機の内部の主要構造体及び／又は二次構造体を組み立てたり、フロアボード、壁パネル、調理室、荷物入れ、頭上荷物棚、トイレ、及び／又は、航空機内の他の構造体を形成したりする場合がある。このようなサンドイッチパネル及び円形インサートは、他の産業においても使用される。
【０００３】
図１及び図２は、サンドイッチパネル１１内に取り付けられた従来の円形インサート１０を、概略的に断面図で示したものである。サンドイッチパネル１１は、第１の外板１５と第２の外板１７との間に挟まれたコア１３を含む。第１の外板１５及び第２の外板１７は、剛性又は半剛性の外板であり、通常、軽量の材料によって形成されるコア１３に比べて、比較的薄い。従来の円形インサート１０は、サンドイッチパネル１１に形成された、例えば止まり孔２１（図１）又は貫通孔２３（図２）などの円形孔１９に挿入することができる。止まり孔２１は、外板のうちの一方（例えば第１の外板１５）を貫通して他方の外板（例えば第２の外板１７）に向かってコア１３内に延び、貫通孔２３は、第１の外板１５、第２の外板１７及びコア１３の全体を貫通して延びる。図１及び図２に示すように、従来の円形インサート１０のフランジ部２７は、第１の外板１５及び第２の外板１７のうちの一方又は両方と実質的に面一である。あるいは、図３に示すように、従来のインサート１０のフランジ部２７は、第１の外板１５又は第２の外板１７の上に（例えばその外面上に）位置している。
【０００４】
従来の手法では、ポッティング剤（potting compound）又はエポキシなどの接着剤を、従来の円形インサート１０に設けたポッティング穴又は開口から注入し、従来のインサート１０とサンドイッチパネル１１のコア１３との間の隙間又は空間２９を埋める。接着剤は、いったん完全に硬化すると、サンドイッチパネル１１の穴１９内の所定位置にインサートを固定する働きをし、接着剤がいったん乾燥、固化、及び／又は硬化した後は、サンドイッチパネル１１に対する従来の円形インサート１０の相対移動を実質的に防止し、円形孔１９内に従来のインサート１０を保持する（例えば、従来の円形インサート１０の抜け、回転、及び横方向移動を阻止する）。しかしながら、このような接着剤の使用は、大きな労力を要するとともに、硬化には、例えば２〜４時間以上などのかなりの時間がかかる。この間、従来の円形インサートは、サンドイッチパネル内で固定されておらず、従来の円形インサート１０に対して負荷をかけることができないため、製造プロセスの効率が制限されることになる。また、（従来の円形インサート１０を所定位置に保持するためのマスキングテープを貼るなどして）従来の円形インサート１０を、硬化時間の間、所定位置に保持しておかなければならない場合がしばしばあり、このような対策を講じてもなお、硬化中にインサートが動く場合がある。
【０００５】
いくつかの方法においては、余分の接着剤が従来の円形インサート１０のまわりに押し出された場合、二次的部材（例えばブラケット）がインサート及びサンドイッチパネルと実質的に面一となるように、従来の円形インサート１０からこの接着剤を除去しなければならない。従来の円形インサート１０、及び、当該インサートの使用及び／又は取り付け方法では、「高いインサート」又は「低いインサート」の問題が生じうる。これは、それぞれ、従来の円形インサートが、最終的に、円形孔から大幅に外側に位置する（高い）場合、あるいは、円形孔の奥深くに位置する（低い）場合である。（例えば、従来の円形インサート１０の外面が、円形孔から突き出して高すぎるか、あるいは、円形孔に入り込んで低すぎる状態となることがあり、いずれの場合も、サンドイッチパネルの外板との間に、非平滑な界面が形成される。）このような不完全な配置は、硬化時間中の移動及び／又は初期配置不良の結果起こる場合があり、従来の円形インサート１０を介して固定されるブラケット又はその他の二次的な装置の適切な配置を妨げる。硬化中に膨張する接着剤の膨張力も、従来の円形インサート１０の移動などの不良の原因となり、サンドイッチパネルの反対側に目に見えるマークオフ（mark-off）が形成され、しばしば完成品が不良となる。
【０００６】
従来の円形インサート１０をサンドイッチパネルの円形の孔に接合するための接着剤の使用は、製造工程の自動化の妨げとなる場合がある。また、間違ったタイプの従来の円形インサート１０を取り付けてしまうと、特に従来の円形インサートを接着剤で固定する手法では、修正が困難であり、時間もかかる。１つのサンドイッチパネルに、多くの異なるタイプの従来の円形インサートを取り付ける場合があるが、異なるタイプの従来の円形インサートの中には、サンドイッチパネルに形成された同じサイズの円形孔に入るものがあるため、間違った円形インサートを取り付けることは、かなり頻繁に起こる。また、従来の技術で用いた接着剤は、硬化後でも劣化することがあるため、トルクによって従来の円形インサートと接着剤の接合が外れた際に、円形孔から従来の円形インサート１０が抜け落ちたり、サンドイッチパネルの円形孔内でインサートが回転したりすることがある。従来の円形インサート１０及びこれをサンドイッチパネル内に取り付ける方法におけるこれらの問題は、様々な産業において、現在も続いており、厄介なものとなっている。
【発明の概要】
【０００７】
本開示による、サンドイッチパネルに用いるためのインサート、及び、関連する方法（例えば、サンドイッチパネルにこのようなインサートを１つ又は複数取り付ける方法）は、従来のインサート及び関連する方法に関する１つ又は複数の問題に対処することができる。例えば、本開示によるインサートのいくつかは、接着性のポッティング剤を使用せずにサンドイッチパネル内に保持することができ、したがって、安定性があり、ポッティング剤が硬化するのを待たずに、挿入してすぐに有意な負荷に耐えることができる。開示のインサートによれば、取り付け後にサンドイッチパネルからインサートを取り外すことができたり、サンドイッチパネルに対するインサートの位置合わせ（例えば、インサートの面一な配置）を向上させることができたり、製造プロセスの自動化を可能にすることができたりする。
【０００８】
本開示によるインサートの一例は、サンドイッチパネル内に取り付けられるように構成されており、当該サンドイッチパネルは、第１の外板と、第１の外板の反対側の第２の外板と、これらの間のコアとを有するものである。インサートは、概して、インサートがサンドイッチパネル内に取り付けられた際にサンドイッチパネルと係合するように構成されたパネル係合構造部（例えば、パネル係合構造部は、サンドイッチパネルの第１の外板又は第２の外板と係合するように構成されうる）と、パネル係合構造部の反対側に位置する遠位端部と、インサートがサンドイッチパネル内に取り付けられた際にサンドイッチパネルのコアと係合するように構成された本体と、接着剤を使用せずにサンドイッチパネル内にインサートを保持するように構成された保持部と、サンドイッチパネルに対するインサートの回転を防止するように構成された回転防止部とを含む。インサートの本体には、パネル係合構造部から遠位端部へと、本体内に延びる穴が形成されている。回転防止部は、サンドイッチパネルに対する、穴の長軸を中心とするインサートの回転を阻止するように構成されている。インサートは、二次的部材（例えば、ブラケット、ボルト、ワイヤ束など）を穴に挿入できるように構成されており、二次的部材は、インサートを介して、サンドイッチパネルに局所的負荷を伝達するように構成されている。
【０００９】
関連する方法も開示されている。例えば、サンドイッチパネルに形成された孔に、インサートを取り付ける一方法は、本開示による少なくとも１つのインサートを用意し、サンドイッチパネルに少なくとも１つの孔を形成し、少なくとも１つの孔にそれぞれ少なくとも１つのインサートを取り付け、その際に、インサートのパネル係合構造部がサンドイッチパネルに係合し、インサートの本体がサンドイッチパネルのコア内の前記孔内に位置するようにする。いくつかの方法において、インサートをサンドイッチパネル内に取り付ける際に、前記孔に対してインサートを回転させる。例えば、インサートの一部（例えばインサートの保持部）が、サンドイッチパネルのコアと、サンドイッチパネルの第１の外板又は第２の外板のいずれかとの間に位置するように、インサートを回転させることができる。
【図面の簡単な説明】
【００１０】
【図１】サンドイッチパネルに形成された止まり孔に配置された従来のインサートであり、サンドイッチパネルの外板と面一になっているインサートの概略断面図である。
【図２】サンドイッチパネルに形成された貫通孔に配置された従来のインサートであり、サンドイッチパネルの外板と面一になっているインサートの概略断面図である。
【図３】サンドイッチパネルに対して配置された従来のインサートの概略断面図である。
【図４】本開示による１つ又は複数のインサートを含む１つ又は複数のサンドイッチパネルを含みうる装置の例示的且つ非排他的な例の概略斜視図である。
【図５】本開示によるインサートの例示的且つ非排他的な例の概略図である。
【図６】本開示によるインサートを含むサンドイッチパネルの例示的且つ非排他的な例の概略図である。
【図７】本開示によるインサートの斜視図である。
【図８】１つ又は複数の孔が形成されており、各孔は、図７のインサートを挿入できるように構成されている、サンドイッチパネルの上面図である。
【図９】図８のサンドイッチパネルの孔のうちの１つに配置された図７のインサートの上面図である。
【図１０】サンドイッチパネルに対してインサートが回転させられた状態の、図９のインサート及びサンドイッチパネルの上面図である。
【図１１】本開示によるインサートに用いるためのリテイナーの斜視図である。
【図１２】図１１のリテイナーがインサート上の所定位置に配置された状態の、図１０に示した回転させられたインサート及びサンドイッチパネルの上面図である。
【図１３】本開示によるインサートの別の例の斜視図である。
【図１４】本開示によるインサートの一例の上面図である。
【図１５】本開示によるインサートの一例の上面図である。
【図１６】サンドイッチパネル内に取り付けられた、本開示によるインサートの断面図である。
【図１７】外板のうちの一方に形成された切り欠きと、切り欠きから径方向に延びる複数のスリットとを有するサンドイッチパネルの上面図である。
【図１８】外板のうちの一方に形成された切り欠きと、切り欠きから径方向に延びるとともに切り欠きの周まわりに実質的に等間隔で配置された複数のスリットとを有するサンドイッチパネルの上面図である。
【図１９】外板のうちの一方に形成された切り欠きと、切り欠きから径方向に延びるとともに隣接するスリットのペアとして配置された複数のスリットとを有し、外板の一部が押し下げられている、サンドイッチパネルの上面図である。
【図２０】外板のうちの一方に形成された切り欠きと、切り欠きから径方向に延びるとともに隣接するスリットのペアとして配置された複数のスリットとを有し、外板の一部が押し下げられている、サンドイッチパネルの上面図である。
【図２１】図２０に示したサンドイッチパネル、径方向に延びるスリット、及び、外板の押し下げられた部分の斜視図である。
【図２２】剥離用フランジを含む、本開示によるインサートの別の例の上面図である。
【図２３】図２２のインサートの斜視図である。
【図２４】サンドイッチパネル内に配置された図２２〜図２３のインサートの断面図である。
【図２５】本開示によるインサート受けベースの斜視図である。
【図２６】図２５のインサート受けベース内の所定位置に配置されたインサートの斜視図である。
【図２７】インサート及びインサート受けベースの半分が取り除かれた状態の、図２６のインサート及びインサート受けベースの斜視図である。
【図２８】サンドイッチパネル内に取り付けられたインサート及びインサート受けベースの分解断面図である。
【図２９】本開示によるインサート受けベースの別の例を、当該インサート受けベース内に取り付けられうる２つのインサートと共に示した分解図である。
【図３０】本開示によるインサート受けベースの別の例を、当該インサート受けベース内に取り付けられうる２つのインサートと共に示した分解図である。
【図３１】本開示によるインサート受けベース内に配置されつつあるインサートの別の例の上面斜視図である。
【図３２】図３１のインサート及びインサート受けベースの底面斜視図である。
【図３３】インサートに取り付けられうる、本開示によるスナップリングの一例の上面斜視図である。
【図３４】図３３のスナップリングの底面斜視図である。
【図３５】インサートに取り付けられうる、本開示によるスナップリングの別の例の上面斜視図である。
【図３６】インサートに取り付けられうる、本開示によるスナップリングの別の例の上面斜視図である。
【図３７】インサートに取り付けられた、本開示によるスナップリングの一例の底面斜視図である。
【図３８】本開示による、サンドイッチパネル内に取り付けられたスナップリング及びインサートの一例の断面概略図である。
【図３９】本開示によるインサート及び／又はスナップリングを挿入するためにサンドイッチパネルに形成された孔の上面概略図である。
【図４０】本開示によるインサート及び／又はスナップリングを挿入するためにサンドイッチパネルに形成された孔であって、パネルに形成されたノッチを有する孔の上面概略図である。
【図４１】本開示によるインサート及び／又はスナップリングを挿入するためにサンドイッチパネルに形成された孔であって、パネルに形成されたスリットを有する孔の上面概略図である。
【図４２】インサートに取り付けられた、本開示によるスナップリングの一例の側面図である。
【図４３】一部がサンドイッチパネルに取り付けられた図４２のスナップリング及びインサートの側面図であり、サンドイッチパネルを切り欠いて示した図である。
【図４４】図４２のスナップリング及びインサートをサンドイッチパネル内にさらに深く取り付けた状態の側面図であり、サンドイッチパネルを切り欠いて示した図である。
【図４５】図４２のスナップリング及びインサートをサンドイッチパネル内に完全に取り付けた状態の側面図であり、サンドイッチパネルを切り欠いて示した図である。
【図４６】インサート上の所定位置に配置された、本開示によるスナップリングの一例の斜視図であり、スナップリングに対するインサートの回転を示す図である。
【図４７】本開示による、サンドイッチパネル内にスナップリングを有するインサートを取り付ける方法を表す概略フローチャート図である。
【図４８】本開示による、サンドイッチパネル内に１つ又は複数のインサートを取り付ける方法を表す概略フローチャート図である。
【発明を実施するための形態】
【００１１】
図４を参照すると、本開示による１つ又は複数のインサート５０は、サンドイッチパネル内に取り付けることができる。サンドイッチパネルは、少なくとも一つにはその比強度が高いために、多くの様々な用途において有用である。例えば、１つ又は複数のインサート５０を含むこのようなサンドイッチパネルは、航空宇宙、自動車、電子、建設、軍事、レクリエーション、及び／又は、モータースポーツ産業において有用である。図４では、概して１つ又は複数のサンドイッチパネル１２及びインサート５０を含む装置２８の一例が、航空機３０として示されている。航空機３０は、任意の適当な形態をとることができ、これには、例えば、民間航空機、軍用機、又は他の任意の適当な航空機が含まれる。図４は、固定翼機の形態の航空機３０を示しているが、他のタイプ及び形態の航空機も本開示による航空機３０の範囲内であり、これには、（限定するものではないが）回転翼機及びヘリコプターが含まれる。
【００１２】
装置２８（例えば航空機３０）は、１つ又は複数のサンドイッチパネル１２から形成された１つ又は複数の構造体３２を含む場合があり、サンドイッチパネルのうちの１つ又は複数は、複合パネルでありうる。各サンドイッチパネル１２は、典型的には六角形又は矩形の断面を有する複数の長状のセルなどの比較的軽量の材料によって形成されたコア１４を含む。このようなコア１４は、ハニカムコアと呼ばれることがあるが、波形構造及び／又は発泡材料などの他の形状及び構成も、用いることができる。コア１４は、連続気泡構造及び／又は独立気泡構造を含みうる。コア１４は、発泡体、アルミニウム、ノーメックス[登録商標]（アラミド）、炭素、コレックス（Korex）、ケブラー[登録商標]、ガラス繊維、ポリエーテルスルホン、ポリ塩化ビニル、ポリウレタン、ポリエチレンフォーム、ポリスチレンフォーム、バルサ材、シンタクチックフォーム、ハニカム構造体、ポリマーハニカム、熱可塑性ハニカム、ステンレス鋼、ポリカーボネート、及び／又はポリプロピレンによって形成することができる。サンドイッチパネル１２は、少なくとも２つの外板を含み、第１の外板１６は、コア１４の一方側に設けられ、第２の外板１８はコア１４の他方側に設けられ、３層サンドイッチ構造を形成する配置となっている。外板１６、１８は、通常、剛性であり、これらの外板の間にコア１４が延びている。第１の外板１６及び第２の外板１８は、ガラス繊維強化ポリマーの積層体、炭素繊維強化ポリマーの積層体、熱硬化性ポリマー、エポキシ、金属薄板、炭素、アラミド、アルミニウム、鋼、合板、バルサ、チーク材、及び／又は硬材によって形成することができる。第１の外板１６と第２の外板１８とは、いくつかの実施例においては同じ材料によって形成してもよいし、他の実施例において、異なる材料によって形成してもよい。
【００１３】
構造体３２は、１つ又は複数のサンドイッチパネル１２、２つ以上のサンドイッチパネル１２の間に形成されたジョイント部、及び／又は、１つ又は複数のサンドイッチパネル１２を用いて形成された３次元構造体を含む。例示的且つ非排他的な例として、構造体３２は、主翼３４、胴体３６、水平尾翼３８、頭上荷物棚４０、垂直安定板４２、及び、エンジンハウジング４４などの航空機構造体に用いることができる。ただし、航空機３０の他のコンポーネントも、付加的又は代替的に、サンドイッチパネル１２及び／又は２つ以上のサンドイッチパネル１２の間のジョイント部などの構造体３２を含んでいてもよい。本開示による１つ又は複数のインサート５０を含むサンドイッチパネル１２の、航空機３０における他の用途には、床パネル、内部壁、食品調理室アセンブリ、翼制御面、乗客用収納ラック、推力偏向装置アセンブリ、カプセルパネル、ノーズコーン(nose cone)用アブレーティブシールド（ablative shields）、計器エンクロージャ（enclosure）ならびにシェルフ、及び、隔壁パネルが含まれる。他の産業において、（１つ又は複数のサンドイッチパネル１２及びインサート５０を含む）装置２８は、宇宙衛星、電子レードーム構造、輸送車両、輸送コンテナ、シェルター、大型アンテナ又は円板反射体、冷凍パネル、高速輸送フロアパネル、船上電子デッキシェルター、貨物パレット、自動車車体、建築カーテンウォール、パーティション、分割パネル、拡張可能病院シェルター、及び/又は、アセンブリの内部構造を含むか、又はその一部であってもよい。
【００１４】
図５は、サンドイッチパネル１２の各孔２０内に取り付けることができる１つ又は複数のインサート５０を含むシステム１００の概略図を示している。概して、本開示のインサート５０は、当該インサート５０がサンドイッチパネル１２の孔２０内で自己保持性を有するよう、１つ又は複数の保持部７０及び／又は回転防止部７２を含むように設計されうる。いくつかの例において、インサート５０は、ポッティング剤などの接着剤を用いずに、いったん孔２０内に取り付けると、自己保持性を有し、安定し、有意な負荷に耐えることができる。あるいは、接着剤を用いる例においては、インサート５０は、孔２０内に取り付けた直後の、接着剤が乾燥又は硬化する前に、自己保持性を有し、安定し、有意な負荷に耐えることができる。従って、インサート５０は、いかなる接着剤の硬化又は乾燥を待つ必要もなく、すぐに使用することができる。例えば、本開示のインサート５０によれば、接着剤が硬化する前に、あるいは接着剤を使用せずに、留め具やブラケットなどの要素の取り付けを行うことができ、これによって製造プロセスを中断せずに続けることができる。接着剤が硬化するのを待つ間は、追加のプロセス工程が制限されるか、あるいは、行えないが、このようなインサート５０は、このような待ち時間を減らすことによって、製造効率を向上させることができる。従って、本開示のインサート５０は、最終的には、ある種の製造プロセスに関連して、サイクルタイムの低減やコストの削減をもたらす。本開示のインサート５０に接着剤を用いる場合においても、インサート５０の自己保持性によって、接着剤が硬化する前に、製造を続ける（例えば、インサート５０に二次的部材を取り付ける）ことができる。また、本開示のこのようなインサートは、サンドイッチパネル１２内に取り付けると、より安定性が高く、有意な負荷に耐えることができる。これは、少なくとも１つには、接着剤のみに依存して、孔２０に対するインサート５０の抜けや回転を阻止するのではないからである。図において、所与の実施例におそらく含まれる要素は、実線で示しており、所与の実施例において任意である要素は、破線で示している。ただし、実線で示した要素が本開示のすべての実施例に必須というわけではなく、本開示の範囲から逸脱することなく、実線で示した要素を特定の実施例から省くこともできる。
【００１５】
インサート５０は、パネル係合構造部５２、パネル係合構造部５２の反対側に位置する遠位端部５４、及び、これらの間に位置する本体５６を含み、本体５６は、インサート５０をサンドイッチパネル１２の孔２０内に取り付けた際に、サンドイッチパネル１２のコア１４と係合するように構成されている。いくつかの実施例において、パネル係合構造部５２は、遠位端部５４の方向を向く内側フランジ面５８と、遠位端部５４とは反対側を向く外側フランジ面６０とを有するフランジ（例えばフランジ２５）を含む。内側フランジ面５８が第１の外板１６又は第２の外板１８と係合するように、サンドイッチパネル１２に対してインサート５０を配置することもできるし、外側フランジ面６０が第１の外板１６又は第２の外板１８と係合するように、サンドイッチパネル１２に対してインサート５０を配置することもできる。
【００１６】
第１の外板１６は、コア１４に対面する第１内側面６２、及び、コア１４とは反対側を向く第１外側面６４を有する。同様に、第２の外板１８は、コア１４に対面する第２内側面６６、及び、コア１４とは反対側を向く第２外側面６８を有する。インサート５０は、サンドイッチパネル１２内に取り付けられると、第１の外板１６及び第２の外板１８のうちの一方又は両方と係合する。例えば、インサート５０は、パネル係合構造部５２が第１の外板１６又は第２の外板１８と係合するように、配向することができる。パネル係合構造部５２が第１の外板１６と係合する場合は、本体５６は、第２の外板１８に向かってコア１４内に延びる。このような実施例のいくつかにおいて、インサート５０は、実質的にサンドイッチパネル１２の全体にわたって延び、これによって、遠位端部５４が、サンドイッチパネル１２の第２の外板１８と係合したり、実質的に面一の状態となってもよい。他の実施例において、本体５６がコア１４の一部分内だけに延び、遠位端部５４がコア１４と係合するようにすることもできる。同様に、パネル係合構造部５２が第２の外板１８と係合する場合は、本体５６は、第１の外板１６に向かってコア１４内に延びる。このような実施例のいくつかにおいて、インサート５０は、実質的にサンドイッチパネル１２の全体にわたって延び、これによって、遠位端部５４が、サンドイッチパネル１２の第１の外板１６と係合したり、実質的に面一の状態となってもよい。他の実施例において、本体５６がコア１４の一部分内だけに延び、遠位端部５４がコア１４と係合するようにすることもできる。同様に、孔２０に対するインサート５０の配置次第で、遠位端部５４を、第２の外板１８の第２外側面６８と実質的に面一としたり、第１の外板１６の第１外側面６４と実質的に面一としたり、コア１４内に位置させたりすることができる。
【００１７】
具体的には、インサート５０の特定の部分が、サンドイッチパネル１２の特定の部分と係合するように、インサート５０をボア２０内に配置することができる。例えば、パネル係合構造部５２の少なくとも一部は、第１の外板１６の第１内側面６２又は第２の外板１８の第２内側面６６に隣接して配置したり、これと係合するような構成としてもよい。いくつかの特定の実施例において、内側フランジ面５８は、第１の外板１６の第１外側面６４又は第２の外板１８の第２外側面６８と係合してもよい。他の実施例において、外側フランジ面６０は、第１の外板１６の第１内側面６２又は第２の外板１８の第２内側面６６と係合してもよい。このように、インサート５０がサンドイッチパネル１２内に取り付けられた際に、パネル係合構造部５２の少なくとも一部が、第１の外板１６の第１内側面６２とコア１４との間に位置してもよいし、インサート５０がサンドイッチパネル１２内に取り付けられた際に、パネル係合構造部５２の少なくとも一部が、第２の外板１８の第２内側面６６とコア１４との間に位置してもよい。例えば、インサート５０がサンドイッチパネル１２内に取り付けられた際に、パネル係合構造部５２の表面積の少なくとも５％、少なくとも１０％、少なくとも２０％、少なくとも２５％、少なくとも３３％、少なくとも４０％、少なくとも５０％、少なくとも６７％、及び／又は、少なくとも７５％が、サンドイッチパネル１２の第１内側面６２とコア１４との間に位置していてもよい。同様に、インサート５０がサンドイッチパネル１２内に取り付けられた際に、パネル係合構造部５２の表面積の少なくとも５％、少なくとも１０％、少なくとも２０％、少なくとも２５％、少なくとも３３％、少なくとも４０％、少なくとも５０％、少なくとも６７％、及び／又は、少なくとも７５％が、サンドイッチパネル１２の第２内側面６６とコア１４との間に位置していてもよい。
【００１８】
本体５６は、内部に穴７６が形成された略円筒形であり、当該穴は、パネル係合構造部５２から本体５６内を、遠位端部５４まで又は当該遠位端部に向かって延びている。いくつかの実施例において、穴７６は、パネル係合構造部５２から遠位端部５４まで、インサート５０全体にわたって延びている。穴７６は、孔２０と実質的に同心状であり、孔２０の長軸７４は、穴７６の長軸でもある。穴７６は、穴径１２０を有し、当該穴径は、穴７６の長さに沿って実質的に一定であってもよいし、穴７６の長さに沿って変化していてもよい。同様に、本体５６は、本体径１２２を有し、当該本体径は、本体５６の長さに沿って実質的に一定であってもよいし、本体５６の長さに沿って変化していてもよい。
【００１９】
インサート５０は、穴７６内に二次的部材７８が挿入されるように構成されている。二次的部材７８は、インサート５０を介して、サンドイッチパネル１２に局所的負荷を伝達するように構成されている。例えば、二次的部材７８は、ピン、ボルト、リベット、ねじ、継ぎ手、隔離絶縁器、アングル材、ワイヤ、ケーブル、第２のインサート、及び、ワイヤ束のうちの１つ又は複数を含みうる。穴７６は、二次的部材７８と係合するように構成された雌ねじ部８０を含みうる。
【００２０】
インサート５０は、１つ又は複数の保持部７０及び／又は１つ又は複数の回転防止部７２を含み、これらは、それぞれ、サンドイッチパネル１２に対するインサート５０の抜け及び回転を阻止するように構成されている。換言すれば、保持部７０は、サンドイッチパネル１２の孔２０内の所定位置にインサート５０を保持するように構成されている。例えば、保持部７０の少なくとも一部は、インサート５０がサンドイッチパネル１２内に取り付けられた際に、サンドイッチパネル１２の第１の外板１６と第２の外板１８との間に位置するように構成されている。（すなわち、保持部７０は、サンドイッチパネル１２の第１の外板１６と第２の外板１８との間にあるコア１４の一部内に位置し、当該一部内に延びるように構成されている。）従って、インサート５０は、少なくとも１つには保持部７０の存在によって、接着剤（例えばポッティング剤）を使用せずに、あるいは、接着剤が硬化する前に、サンドイッチパネル１２内の所定位置に自己保持できる構成となっている。
【００２１】
いくつかの実施例において、以下にさらに詳しく説明するように、保持部７０は、パネル係合構造部５２の１つ又は複数の部分である。いくつかの実施例において、１つ又は複数の保持部７０は、インサート５０が孔２０内に取り付けられた際に、サンドイッチパネル１２のコア１４、第１の外板１６、及び／又は、第２の外板１８と係合するように構成されうる。これに加えて又はこれに代えて、１つ又は複数の保持部７０は、インサート５０がサンドイッチパネル１２内に取り付けられた際に、第１内側面６２とコア１４との間、又は、第２内側面６６とコア１４との間に位置するように構成されうる。これに加えて又はこれに代えて、１つ又は複数の保持部７０は、インサート５０がサンドイッチパネル１２内に取り付けられた際に、サンドイッチパネル１２のコア１４内に広がるように構成された拡張部１２４を備えうる。これに加えて又はこれに代えて、保持部７０は、パネル係合構造部５２に隣接して設けられるとともにサンドイッチパネル１２のコア１４と係合するように構成された、複数の粗ねじ部１０２を備えうる。
【００２２】
いくつかの実施例において、保持部７０及び／又は回転防止部７２は、スナップリング１１２を備えうる。当該スナップリングは、サンドイッチパネル１２内にインサート５０を取り付ける前にインサート５０にスナップ係合する構成、あるいは、スナップリング１１２を孔２０に対して配置すると、インサート５０がスナップリング内にスナップ係合する構成とすることができる。スナップリング１１２の１つ又は複数の部分は、スナップリング１１２をサンドイッチパネル１２の孔２０に押し込む際に、広がったり、第１の外板１６、第２の外板１８、及び／又はコア１４と係合する構成とすることができる。例えば、１つ又は複数のクリート（cleats）１１４が、スナップリング１１２のスナップリング本体１１６（スナップリングのフランジと呼ぶ場合もある）から軸方向に延びており、これらのクリートが、サンドイッチパネル１２内に取り付けられた際に、第１の外板１６、第２の外板１８、及び／又はコア１４と係合する構成とすることができる。いくつかの実施例において、まず、スナップリング１１２をインサート５０に配置してサブアセンブリを形成することによって、これらが一緒に孔２０内に配置される。このサブアセンブリを孔２０に押し込む際に、インサート５０がクリート１１４を外方に押圧し、クリート１１４を径方向外方に広げる。これによって、クリートは、コア１４と係合してコア内に押し込まれたり、第１の外板１６又は第２の外板１８のいずれかと係合する。
【００２３】
スナップリング１１２は、スナップリング１１２に対するインサート５０の回転を実質的に防止するため、インサート５０と係合するように構成された１つ又は複数の回転止め１１８を含みうる。いくつかの実施例において、回転止め１１８は、スナップリング本体１１６から径方向に延びており、例えば、スナップリング本体１１６から径方向外方又は径方向内方に延びている。これに加えて又はこれに代えて、１つ又は複数の回転止め１１８を、インサート５０自体に設けてもよい。スナップリング１１２は、本開示のインサート５０及び／又は従来の円形インサート１０に用いるように構成することができる。
【００２４】
いくつかの実施例において、インサート５０は、スナップリング１１２の有無にかかわらず、取り付けの際に（すなわち、取り付けプロセスの最中に、あるいは、取り付け作業の一部として）サンドイッチパネル１２の孔２０内で回転させる構成とすることができる。例えば、インサート５０の少なくとも一部を孔２０内に挿入し、次に、サンドイッチパネル１２に対して孔２０の長軸７４周りにインサートを回転させることによって、サンドイッチパネル１２内にインサート５０をさらに固定することができる。例えば、パネル係合構造部５２の少なくとも一部を、コア１４と第１の外板１６又は第２の外板１８との間の位置まで回転させてもよい。これに加えて又はこれに代えて、インサート５０の回転は、インサート５０をより確実に保持できるように保持部７０を配置したり、孔２０内でのインサート５０のさらなる回転が実質的に防止されるように回転防止部をロック又は係合することに役立つ。
【００２５】
回転防止部７２は、いったんインサート５０を孔２０内に配置した後は、サンドイッチパネルに対してインサート５０が例えば孔２０の長軸７４を中心として回転することを阻止するように構成されている。（例えば、回転防止部７２は、インサート５０が完全に孔２０に挿入された後は、孔２０に対するインサート５０のさらなる回転を阻止するように構成することができ、ここで、このような挿入は、インサート５０の回転を含みうる。）換言すれば、インサート５０を孔２０内の最終位置まで回転させる例においては、インサート５０が最終位置を超えてさらに回転することを実質的に防止するように、１つ又は複数の回転防止部７２を構成することができ、これによって、孔２０に対するインサート５０の取り付け位置を実質的に保持することができる。
【００２６】
図５に示すように、長軸７４は、パネル係合構造部５２（例えば内側フランジ面５８及び／又は外側フランジ面６０）によって規定される第１の平面、及び、遠位端部５４によって規定される第２の平面に、実質的に垂直とすることができる。いくつかの実施例において、インサート５０又はスナップリング１１２から、ブレード部１０４が延びていてもよい。このようなブレード部１０４は、サンドイッチパネル１２に対してインサート５０及び／又はスナップリング１１２を配置するのを助けたり、インサート５０及び／又はスナップリング１１２の回転の開始を容易にしたりするように、構成することができる。これに加えて又はこれに代えて、ブレード部１０４及び／又は回転防止部７２は、サンドイッチパネル１２の第１の外板１６及び／又は第２の外板１８に形成された１つ又は複数のスリット１０６に係合するように構成してもよい。例えば、１つ又は複数のスリット１０６は、サンドイッチパネル１２の１つ又は複数の孔２０から径方向に延びている。いくつかの実施例において、１つ又は複数の孔２０の各々は、当該孔２０から径方向に延びる少なくとも１個、少なくとも２個、少なくとも４個、少なくとも８個、少なくとも１２個、少なくとも１６個、及び／又は、少なくとも２０個のスリットを含みうる。このようなスリット１０６は、各孔２０のそれぞれの周まわりに実質的に等間隔に配置してもよいし、隣接するスリット１０６のペアとして配置してもよい。いくつかの実施例において、第１の外板１６及び／又は第２の外板１８における、１つ又は複数のスリット１０６に隣接する部分が、押し下げられていてもよい。これに加えて又はこれに代えて、回転防止部７２は、パネル係合構造部５２から延びる１つ又は複数の延出部７１を含んでいてもよく、当該延出部は、例えばパネル係合構造部５２の主外縁７３から延びている。延出部７１は、楔形などの任意の適当な形状であってよく、その長さに沿って厚みが変化していてもよい。
【００２７】
いくつかの実施例において、保持部７０及び／又は回転防止部７２は、リテイナー（retainer）８８を備えていてもよく、当該リテイナーは、インサート５０とは別体（例えば非一体）であってもよい。リテイナー８８は、サンドイッチパネル１２内でのインサート５０の回転を実質的に防止する構成、及び／又は、サンドイッチパネル１２内にインサート５０を保持する構成とすることができる。例えば、リテイナー８８は、孔２０内へのインサート５０の配置、及び／又は、サンドイッチパネル１２に対するインサートの回転を行ってから、インサート５０上に取り付けられる。いくつかの実施例において、リテイナー８８は、取り付けると、第１の外板１６（例えば第１の外板１６の第１外側面６４）又は第２の外板１８（例えば第２の外板１８の第２外側面６８）と実質的に面一となるように構成することができる。リテイナー８８は、コア１４の少なくとも１つの露出部分９０（例えば、第１の外板１６又は第２の外板１８が除去された部分）を覆うように構成することができる。例えば、サンドイッチパネル１２の１つ又は複数の孔２０は、第１の外板１６又は第２の外板１８に形成された切り欠き９２を含んでいる。このような切り欠き９２は、第１の外板１６又は第２の外板１８における、インサート５０のパネル係合構造部５２を挿入するために除去された部分であって、且つ、インサート５０を取り付けて孔２０内の所定位置まで回転させた後は露出状態となる部分に対応している。これに加えて又はこれに代えて、保持部７０及び／又は回転防止部７２は、即時硬化性の化合物又は紫外線硬化性化合物などの接着剤を含んでもよい。
【００２８】
リテイナー８８を含むシステム１００において、リテイナー８８は、当該リテイナー８８をインサート５０に取り付けた際にインサート５０の穴７６と実質的に同心状となる貫通孔９４を含みうる。貫通孔９４は、穴７６と実質的に等しい直径、又は、穴よりもわずかに大きい直径を有しうる。従って、二次的部材７８は、貫通孔９４に挿入してからインサート５０の穴７６に挿入することができ、これによって、リテイナー８８は、インサート５０の機能を損なわない構成とすることができる。リテイナー８８は、インサート５０のパネル係合構造部５２と係合するように構成された実質的に平らな面９６を含み、当該実質的に平らな面９６から１つ又は複数の突出タブ９８が延びている。突出タブ９８は、サンドイッチパネル１２のコア１４、第１の外板１６、及び／又は、第２の外板１８と係合するように構成されている。いくつかの実施例において、突出タブ９８の少なくとも一部を、コア１４と第１の外板１６との間、又は、コア１４と第２の外板１８との間に挿入することができる。リテイナー８８を取り付ける際には、リテイナー８８を、パネル係合構造部５２に対して回転させてもよいし、回転させずに、切り欠き９２及びインサート５０に対する所定位置にリテイナー８８を押し込んでもよい。いくつかの実施例において、リテイナー８８は、インサート５０のパネル係合構造部５２に類似する全体形状を有しうる。
【００２９】
インサート５０は、１つ又は複数のベント穴１０８を含んでおり、当該ベント穴は、インサート５０の本体５６とサンドイッチパネル１２のコア１４との間に形成された少なくとも１つの空間２６への接着剤の注入を可能とするように構成されたものである。本開示のインサート５０の使用において、接着剤の使用は必要ではないが、所望の場合には使用してもよいし、サンドイッチパネル１２内にインサート５０を配置してから、即時硬化性又は紫外線硬化性の化合物をベント穴１０８から注入してもよい。
【００３０】
インサート５０は、パネル係合構造部５２と一体成形された１つ又は複数の剥離用フランジ１１０を含んでいてもよい。剥離用フランジ１１０は、インサート５０の取り付け後に、例えばパネル係合構造部５２から剥離用フランジ１１０を剥がすことによって、インサート５０から取り外すことができる。従来の剥離用タブとは異なり、本開示のインサート５０は一体の剥離用フランジ１１０を含むため、インサート５０を形成した後に剥離用フランジ１１０を付け加える必要は無く、これによって製造プロセスの効率を向上させることができる。剥離用フランジ１１０は、インサート５０とサンドイッチパネル１２（例えば第１の外板１６及び／又は第２の外板１８）との面一の関係及び／又は平行位置関係を維持するように構成することができる。これに加えて又はこれに代えて、剥離用フランジ１１０は、サンドイッチパネル１２に対してインサート５０を揃えるためのアラインメント面を提供する構成としてもよい。
【００３１】
インサート５０は、パネル係合構造部５２から軸方向に突出する１つ又は複数のフィン９９を含んでいてもよい。フィンは、孔２０（又は、その中に配置された別の構造体）内へのインサート５０の手作業による挿入（例えば手作業によるねじ込み）を容易にしたり、あるいは、インサート５０の配置の自動化を容易にするように、構成することができる。このようなフィン９９は、任意の形状、任意の大きさ、及び、パネル係合構造部５２に対する任意の位置に、形成することができる。
【００３２】
パネル係合構造部５２は、実質的に三角形、実質的に多角形、実質的に円形、実質的に楕円形、又は、任意の不規則形状などの、任意の適当な形状であってよい。いくつかの実施例において、パネル係合構造部５２は、１つ又は複数の角部８４につながった１つ又は複数の直線縁部８２を含んでいてもよく、角部は、丸みを帯びた角部８６であってもよい。いくつかの実施例において、パネル係合構造部５２の要素が、保持部７０として機能してもよい。例えば、保持部７０は、パネル係合構造部５２の１つ又は複数の部分、例えば、１つ又は複数の角部８４及び／又は丸みを帯びた角部８６、を含むか、あるいは、これによって形成されていてもよい。例えば、１つ又は複数の角部８４又は丸みを帯びた角部８６を、外板とコア１４との間、例えば、第１内側面６２とコア１４との間、又は、第２内側面６６とコア１４との間に位置させてもよい。これによれば、角部８４又は丸みを帯びた角部８６を配置することによって、インサート５０をサンドイッチパネル１２内に保持することができ、孔２０からインサート５０が抜け落ちる可能性を排除又は低減することができる。
【００３３】
図示のように、孔２０は、コア１４全体に延びる貫通孔２４であってもよく、いくつかの実施例においては、第１の外板１６及び第２の外板１８の両方を貫通しており、これによれば、インサート５０をサンドイッチパネル１２内に取り付けた際に、インサート５０の穴７６内に配置された任意の二次的部材７８が、サンドイッチパネル１２の第１の外板１６及び第２の外板１８の両方から延出することができる。孔２０は、いくつかの実施例においては、第１の外板１６とコア１４の一部のみを通って延び、いくつかの実施例においては第２の外板１８とコア１４の一部のみを通って延びる止まり孔２２であってもよい。孔２０は、いくつかの実施例において、第１の止まり孔２２及び第２の止まり孔２２’を含む二連の止まり孔であってもよく、止まり孔２２、２２’は互いに同心状であり、第１の止まり孔２２は第１の外板１６を貫通し、第２の止まり孔２２’は第２の外板１８を貫通する構成であってもよい。サンドイッチパネル１２は、複数の孔２０を含み、それらの孔のうちの１つ又は複数は貫通孔であり、１つ又は複数は第１の外板１６を貫通する止まり孔１８であり、１つ又は複数は第２の外板１８を貫通する止まり孔１８であってもよいし、１つ又は複数は二連の止まり孔（例えばサンドイッチパネル１２の両側に設けられた同心状の止まり孔）であってもよい。また、孔２０を、断面が実質的に円形のものとして示しているが、他の形状（例えば、楕円形、長円形、多角形など）も可能である。システム１００は、複数のインサート５０を含み、少なくとも１つのインサート５０が、サンドイッチパネル１２の各孔２０に配置される構成であってもよい。
【００３４】
インサート５０は、貫通クリアランス（through clearance）適合型、貫通ねじ切り（through threaded）型、止まりねじ切り型、フローティングナット（floating nut）型、皿穴適合型、キーホールスロット適合型、及び／又は、ねじ切りインサート型などの、任意のタイプのインサートを含みうる。いくつかのインサート５０は、取り付けた際に第１の外板１６及び／又は第２の外板１８と実質的に面一となるように構成してもよい。いくつかのインサート５０は、少なくともその一部が、対応する外板の外面より内側に位置するように構成してもよく、このような位置を、本明細書においては、外板の下方（below）又は外板の下側（under）と表現する場合がある。ただし、この表現は、このような位置を、サンドイッチパネルの「上面」よりも低い位置に限定するものではなく、むしろ、外板の内側の、外板の内側面及びサンドイッチパネルのコアに隣接する位置をさす。
【００３５】
１つ又は複数の孔２０が、第１の外板１６又は第２の外板１８に形成された切り欠き９２を含む実施例において、切り欠き９２は、対応する外板全体を貫通し、コア１４の少なくとも一部内に延びていてもよい。切り欠き９２は、孔２０よりも大きい面積を有していてもよいし、切り欠き９２は、各インサート５０のパネル係合構造部５２に実質的に類似する形状であってもよい。
【００３６】
システム１００は、インサート５０が挿入されるように構成されたインサート受けベース１２６を含んでいてもよい。この場合、インサート受けベース１２６は、孔２０に挿入され、インサート５０は、孔２０に直接挿入されるのではなく、インサート受けベース１２６に挿入される。いくつかのシステム１００において、インサート受けベース１２６は、保持部７０及び／又は回転防止部７２の一例であってもよく、孔２０に対する１つ又は複数のインサート５０の保持及び／又は孔に対する１つ又は複数のインサートの回転の防止を実現するように構成してもよい。これに加えて又はこれに代えて、インサート受けベース１２６は、孔２０に対するインサート受けベース１２６の回転及び／又は抜けを実質的に防止すべく、それ自体が１つ又は複数の保持部７０及び／又は回転防止部７２を含んでいてもよい。例えば、インサート受けベース１２６は、いったんインサート５０がインサート受けベース１２６の内部キャビティ１３２内に取り付けられると、インサート５０の回転を実質的に防止するように構成してもよい。インサート受けベース１２６は、少なくとも１つのインサート５０を内部キャビティ１３２内に保持するように構成された１つ又は複数のスナップ部１３４を含みうる。例えば、スナップ部１３４は、その内部に取り付けられたインサート５０の１つ又は複数の部分と係合するように構成されたリップ部、ノッチ（notch）、突起、延出部、溝、スロット、スリット、及び／又は他の任意の適当な構造を含みうる。
【００３７】
インサート受けベース１２６は、サンドイッチパネル１２のコア１４と係合するように構成された外側ベース面１２８、及び、外側ベース面１２８の反対側の内側ベース面１３０を含みうる。内側ベース面１３０は、少なくとも１つのインサート５０が挿入されるように構成された内部キャビティ１３２を規定している。インサート受けベース１２６は、内部キャビティ１３２内に１つ又は複数のインサート５０を保持するように構成することができる。インサート受けベース１２６は、１つのインサート５０が挿入される構成としてもよいし、２つ以上のインサート５０が挿入される構成としてもよい。いくつかの実施例において、インサート受けベース１２６は、サンドイッチパネル１２の孔２０全体に延びており、サンドイッチパネル１２の第１の外板１６に隣接する位置には第１のインサート５０が挿入され、サンドイッチパネル１２の第２の外板１８に隣接する位置には第２のインサート５０が挿入される構成であってもよい。例えば、２つのインサート５０を、インサート受けベース１２６の内部キャビティ１３２内に、長手方向に互いに並べることができる。
【００３８】
インサート受けベース１２６内に２つのインサート５０が取り付けられる場合、これら２つのインサート５０は、同じタイプのインサートであってもよいし、異なるタイプのインサート５０であってもよい。インサート受けベース１２６は、複数の異なるタイプ又は種類のインサート５０が選択的に挿入される構成であってもよく、従って、１つの種類のインサート受けベース１２６が、多くの異なる種類のインサート５０を挿入できる機能を有していてもよい。従って、１つのインサート受けベース１２６が多くの異なるタイプのインサート５０に対応しうるという点で、インサート受けベース１２６は「自在性」があるといえる。いくつかの実施例において、インサート受けベース１２６にインサート５０を取り付けた後、当該インサート５０をインサート受けベース１２６から選択的に取り外すことができる。換言すれば、第１のタイプのインサート５０をインサート受けベース１２６内に取り付けた場合、いくつかの実施例では、当該インサートを取り外して、第２のタイプのインサート５０をインサート受けベース１２６に挿入することが可能である。この機能によれば、インサート受けベース１２６に間違ったタイプのインサートが取り付けられた場合の修正が容易になる。
【００３９】
インサート受けベース１２６は、サンドイッチパネル１２の第１の外板１６と係合するように構成された第１外板係合構造部１３６を含んでいてもよいし、インサート受けベース１２６は、サンドイッチパネル１２の第２の外板１８と係合するように構成された第２外板係合構造部１３８を含んでいてもよい。インサート受けベース１２６がサンドイッチパネル１２全体に延びる場合（例えば、孔２０が貫通孔である場合）、インサート受けベース１２６は、第１外板係合構造部１３６及び第２外板係合構造部１３８の両方を含みうる。インサート受けベース１２６がサンドイッチパネル１２の一部のみに延びる場合（例えば、孔２０が止まり孔である場合）、インサート受けベース１２６は、第１外板係合構造部１３６及び第２外板係合構造部１３８のうちの一方のみを含みうる。
【００４０】
インサート受けベース１２６は、例えば１つ又は複数の保持部７０を含むことによって、サンドイッチパネル１２の孔２０内で自己保持するように構成されていてもよく、当該保持部は、例えば、インサート５０を内部キャビティ１３２内に取り付けた際に広がるように構成された拡張部１２４であってもよい。例えば、拡張部１２４は、１つ又は複数のアンカー壁１４０を有していてもよく、各アンカー壁は、内側ベース面１３０及び外側ベース面１２８の一部によって形成することができる。このようなアンカー壁１４０は、インサート受けベース１２６の内部キャビティ１３２内に１つ又は複数のインサート５０が取り付けられた際に、径方向外方に、内部キャビティ１３２から離間する方向に広がるように構成してもよい。例えば、１つ又は複数のアンカー壁１４０は、アンカー壁１４０が長軸７４に実質的に平行である初期位置から、アンカー壁１４０が内部キャビティ１３２の長軸（例えば長軸７４）に対して、少なくとも１°、少なくとも５°、少なくとも１０°、少なくとも１５°、少なくとも２０°、少なくとも２５°、少なくとも３０°、少なくとも３５°、少なくとも４０°、少なくとも４５°、少なくとも５０°、少なくとも５５°、及び／又は、少なくとも６０°の角度を形成する拡張位置まで広がるように、構成してもよい。これに加えて又はこれに代えて、アンカー壁１４０は、広がった際に、内部キャビティ１３２の周縁から、少なくとも０．２５ｍｍ、０．５ｍｍ、０．７５ｍｍ、１ｍｍ、１．５ｍｍ、２ｍｍ、３ｍｍ、４ｍｍ、５ｍｍ、６ｍｍ、７ｍｍ、８ｍｍ、９ｍｍ、及び／又は、少なくとも１０ｍｍの距離、突出するように構成することもできる。
【００４１】
これに加えて又はこれに代えて、インサート受けベース１２６は、リップ部１４１の形態の保持部７０を含んでいてもよく、これは、サンドイッチパネル１２の孔２０からのインサート受けベース１２６の抜けを阻止するように構成することができる。例えば、リップ部１４１が第１の外板１６の第１内側面６２とコア１４との間に位置するとともに、第１外板係合構造部１３６の一部が第１の外板１６の第１外側面６４に隣接して位置するように、インサート受けベース１２６を孔２０内に配置することができ、これによれば、第１外板係合構造部１３６は、第１の外板１６の両側を効果的に把持することができる。他の実施例において、リップ部１４１が第２の外板１８の第２内側面６６とコア１４との間に位置するとともに、第１外板係合構造部１３６の一部が第２の外板１８の第２外側面６８に隣接して位置するように、インサート受けベース１２６を孔２０内に配置することができ、これによれば、第１外板係合構造部１３６は、第２の外板１８の両側を効果的に把持することができる。
【００４２】
いくつかの実施例において、インサート受けベース１２６は、第１部分１４２及び第２部分１４４を含みうる。サンドイッチパネル１２の孔２０内に取り付けた際に、第１部分１４２は、第１の外板１６及び第２の外板１８のうちの一方に隣接して位置し、第２部分１４４は、第１の外板１６及び第２の外板１８のうちの他方に隣接して位置する。第１部分１４２は、第１のインサート５０を挿入するように構成し、第２部分１４４は、第２のインサート５０を挿入するように構成することができる。第１部分１４２及び第２部分１４４を有するいくつかの実施例において、第１部分１４２及び第２部分１４４のうちの一方だけが、拡張部１２４（例えばアンカー壁１４０）を含んでいてもよい。例えば、第１部分１４２内への第１のインサート５０の挿入によって、第１部分１４２の拡張部１２４がサンドイッチパネル１２のコア１４内に広がる一方で、第２部分１４４内への第２のインサート５０の挿入は、第２部分１４４に作用を及ぼさず、従って、第２部分１４４は、第１及び第２のインサート５０の挿入後も、実質的に変化しないままである。他の実施例において、第１部分１４２及び第２部分１４４の両方が、拡張部１２４（例えばアンカー壁１４０）を含んでいてもよい。
【００４３】
図６は、本開示によるシステム１００の例の別の概略図である。図６に示すように、装置２８は、１つ又は複数のサンドイッチパネル１２を含み、各サンドイッチパネル１２は、本開示による１つ又は複数のインサート５０を有する。各インサート５０は、１つ又は複数の剥離用フランジ１１０、スナップリング１１２、インサート受けベース１２６、及び、リテイナー８８を含みうる。１つのサンドイッチパネル１２において、１つ又は複数のインサート５０の各々が、インサート受けベース１２６を含む一方、他のインサートはこれを含まない構成であってもよい。同様に、１つのサンドイッチパネル１２において、１つ又は複数のインサート５０の各々が、リテイナー８８を含む一方、他のインサートはこれを含まない構成であってもよい。１つのサンドイッチパネル１２において、１つ又は複数のインサート５０の各々が、スナップリング１１２を含む一方、他のインサートはこれを含まない構成であってもよい。１つのサンドイッチパネル１２において、１つ又は複数のインサート５０の各々が、剥離用フランジ１１０を含む一方、他のインサートはこれを含まない構成であってもよい。サンドイッチパネル１２の孔２０内に取り付けた後、各インサート５０は、その内部に二次的部材７８を取り付け又は配置することができる。図６に示すように、システム１００は、１つ又は複数の孔２０、及び／又は、これに関連する１つ又は複数の切り欠き９２を形成するための工具１４６（例えば、ドリル、エンドミル、及び／又は任意の他の適当な工具）を含みうる。これに加えて又はこれに代えて、システム１００は、接着剤（例えば、ポッティング剤、紫外線硬化性化合物、及び／又は、即時硬化性の化合物）を注入するための、シーラントガンなどの装置１４８を含みうる。これは、サンドイッチパネル１２内への１つ又は複数のインサート５０の固定を促進又は確実化することを目的とする。
【００４４】
次に、図７〜図４６を参照すると、インサート５０、スナップリング１１２、及び／又は、インサート受けベース１２６の例示的且つ非排他的な例が示されている。図５〜図６の概略図で用いた参照番号を適宜用いることによって、図７〜図４６の対応部分を示しているが、図７〜図４６の例は、非排他的であり、インサート５０、スナップリング１１２、又はインサート受けベース１２６を、図７〜図４６に例示した実施形態に限定するものではない。すなわち、インサート５０、スナップリング１１２、及び、インサート受けベース１２６は、図７〜図４６に示した特定の実施形態に限定されるものではなく、図５〜図６の概略図に図示し且つこれらを参照して説明した任意の数の様々な態様、構成、特徴、特性など、及び／又は、図７〜図４６に示した実施形態、ならびにこれらの変形例を含むこともでき、その際に、それらの態様、構成、特徴、特性などのすべてを含むことを必要とするわけではない。簡潔化のために、前述したコンポーネント、部品、部分、態様、領域など、又はそれらの変形例については、図７〜図４６に関連付けて、もう一度説明、図示、及び／又は、符号付けしない場合がある。ただし、前述した部分、変形例などを共に用いることは、本開示の範囲内である。
【００４５】
図７は、三角形インサート１５０の形態をとった、本開示によるインサート５０の一実施形態を示している。図７に示すように、三角形インサート１５０は、内側フランジ面５８及び外側フランジ面６０を有するパネル係合構造部５２を含む。本体５６は、パネル係合構造部５２（例えば、内側フランジ面５８に隣接する位置）から遠位端部５４まで延びており、孔７６が、パネル係合構造部５２、及び、本体５６の少なくとも一部を通って、長手方向に延びている。本体５６は、実質的に円筒形として示しているが、他の形状も可能である。パネル係合構造部５２は、実質的に三角形として示されており、本体５６の断面積よりも大きな表面積を有する。例えば、パネル係合構造部５２の最大寸法１５２（例えば、図９に最もよく示すように、一般的な三角形における高さ、又は、パネル係合構造部５２の中心を通る最大寸法）は、穴７６の穴径１５４（図９）及び／又は本体５６の本体径１５６よりも大きい。いくつかの実施例において、パネル係合構造部５２の最大寸法１５２は、穴７６の穴径１５４よりも、少なくとも２０％大きい、少なくとも２５％大きい、少なくとも３０％大きい、少なくとも３５％大きい、少なくとも４０％大きい、少なくとも５０％大きい、少なくとも６０％大きい、少なくとも７５％大きい、少なくとも８５％大きい、少なくとも１００％大きい、少なくとも１５０％大きい、少なくとも２００％大きい、及び／又は、少なくとも３００％大きい構成とすることができる。これに加えて又はこれに代えて、パネル係合構造部５２の最大寸法１５２は、インサートの本体の本体径よりも大きくてもよく、任意には、パネル係合構造部５２の最大寸法１５２は、インサート５０（例えば三角形インサート１５０）の本体５６の本体径１５６よりも、少なくとも２０％大きい、少なくとも２５％大きい、少なくとも３０％大きい、少なくとも３５％大きい、少なくとも４０％大きい、少なくとも５０％大きい、少なくとも６０％大きい、少なくとも７５％大きい、少なくとも８５％大きい、少なくとも１００％大きい、少なくとも１５０％大きい、少なくとも２００％大きい、及び／又は、少なくとも３００％大きい構成とすることができる。このように、パネル係合構造部５２を、穴７６及び／又は本体５６に比べて大きいサイズとすることによって、必要となる孔２０のサイズを大きくすることなく、サンドイッチパネル１２と係合する表面積を増やしたり、接着剤を入れるための空間（例えば図３の空間２６）を形成したりすることができる。
【００４６】
図８は、サンドイッチパネル１２の外板に形成された孔２０及び切り欠き９２の一実施形態を示しており、図９は、図８の孔２０内に初期的に位置させられた、図７の三角形インサート１５０を示している。図８に示すように、孔２０は、サンドイッチパネル１２の２つの外板のうちの少なくとも一方（例えば第１の外板１６）を通って、コア１４内に少なくとも部分的に延びている。切り欠き９２は、孔２０に比べて大きく、第１の外板１６が取り除かれた領域に対応しており、従って、図示のように、サンドイッチパネル１２を第１の外板１６側から見た際に、コア１４の一部が露出した状態となっている。切り欠き９２は、長手方向に延びてコア１４の深さの一部まで延出しているが、一般的には、孔２０ほど深くはない。切り欠き９２は、図示のような略三角形の形状、及び／又は、パネル係合構造部５２と同等であるがこれよりやや大きい面積を有していてもよい。サンドイッチパネル１２は、任意の適当な態様で配置されたこのような孔２０及び切り欠き９２を複数含みうる。また、本実施例では、孔２０及び切り欠き９２が第１の外板１６に形成された状態を示しているが、１つ又は複数の孔２０及び／又は切り欠き９２が、追加的に又は代替的に、第２の外板１８を通って、第１の外板１６に向かってコア１４内に延びるように形成されていてもよい。
【００４７】
図９に示すように、三角形インサート１５０のパネル係合構造部５２は、サンドイッチパネル１２の第１の外板１６に隣接させて配置することができるが、他の実施例において、パネル係合構造部５２を、第２の外板１８に隣接させて配置してもよい。図９のように配置すると、三角形インサート１５０の外側フランジ面６０は、サンドイッチパネル１２のコア１４から外側を向く配向となり、三角形インサート１５０の内側フランジ面５８は、コア１４側を向く配向となる。三角形インサート１５０の穴７６は、例えば１つ又は複数の二次的部材７８を受容するための雌ねじ部８０を含む。（例えば、雌ねじ部８０を利用して、留め具などの二次的部材７８を三角形インサート１５０の穴７６に螺入することができる。）
【００４８】
図９によく表れているように、パネル係合構造部５２は、実質的に三角形であってよいが、他の形状も可能である。サンドイッチパネル１２の切り欠き９２は、実質的にこれと同様の形状のものであってよく、図８によく表れているように、同様に実質的に三角形であってよい。パネル係合構造部５２は、複数の角部８４（例えば丸みを帯びた角部８６）によって接続された、実質的に直線状の縁部８２を複数含み、これによって、パネル係合構造部５２の主外縁７３が規定されている。図９に示した初期の取り付けにおいて、パネル係合構造部５２を切り欠き９２内に配置することによって、三角形インサート１５０の本体５６が孔２０内に挿入され、パネル係合構造部５２が、切り欠き９２内のコア１４の露出部分上に載置された状態とすることができる。切り欠き９２を、パネル係合構造部５２よりわずかに大きいサイズとしてもよく、これによって、パネル係合構造部５２全体が切り欠き９２内に配置され、パネル係合構造部５２が、わずかでも第１の外板１６の第１外側面６４の外側に位置することがないようにすることができる。
【００４９】
パネル係合構造部５２の一部（例えば、角部８４又は丸みを帯びた角部８６）は、サンドイッチパネル１２内に三角形インサート１５０を保持するように構成された１つ又は複数の保持部７０を構成することができる。例えば、図１０に示すように、三角形インサート１５０を孔２０に対して回転させて、パネル係合構造部５２の一部を、第１の外板１６の「下側」（例えば第１の外板１６の第１内側面６２とコア１４との間）、又は、第２の外板１８の「下側」（例えば第２の外板１８の第２内側面６６とコア１４との間）に位置させることができる。このように、パネル係合構造部５２のこれらの部分は、三角形インサート１５０の保持部７０として機能し、第１の外板１６又は第２の外板１８の「下側」に位置することによって、孔２０内に三角形インサート１５０を保持するとともに、抜けを阻止する役割を行うことができる。図１０に示すように、三角形インサート１５０を、サンドイッチパネル１２に対して、孔２０の長軸７４を中心として約６０°回転させることによって、パネル係合構造部５２の丸みを帯びた角部８６を、第１の外板１６の第１内側面６２とコア１４との間（あるいは、第２の外板１８の第２内側面６６とコア１４との間）に配置することができる。三角形インサート１５０を外板のうちの一方の下側で回転させることによって、パネル係合構造部５２の回転が行われた領域内において、コア１４からの外板の層剥離が起こりうる。例えば、三角形インサート１５０を回転させた際に、第１の外板１６の一部が、孔２０に隣接する位置でコア１４から層剥離（例えば分離）するかもしれないし、あるいは、三角形インサート１５０を回転させた際に、第２の外板１８の一部が、孔２０に隣接する位置でコア１４から層剥離するかもしれない。
【００５０】
図９〜図１０は、約６０°の回転を示しているが、インサート５０の形状及び／又は特徴に応じて、パネル係合構造部５２をより大きな角度又はより小さな角度、回転させてもよい。例えば、本開示によるインサート５０を、まず孔２０内に配置してから、孔２０に対して、少なくとも５°、少なくとも１０°、少なくとも２０°、少なくとも３０°、少なくとも４０°、少なくとも５０°、少なくとも６０°、少なくとも７０°、少なくとも８０°、少なくとも９０°、少なくとも１２０°、少なくとも１５０°、及び／又は、少なくとも１８０°回転させてもよい。いくつかの実施例において、図１０に示すように、インサート５０を回転させることによって、コア１４に１つ又は複数の露出部分９０が発生し、パネル係合構造部５２の１つ又は複数の部分は、もはやこれらの露出部分の上には位置していない。例えば、コア１４の露出部分９０は、インサート５０を回転させた際に外板とコア１４との間に配置されるパネル係合構造部５２の一部とほぼ同じ形状及びサイズとなる。
【００５１】
インサート５０（例えば三角形インサート１５０）は、１つ又は複数の回転防止部７２を含んでいてもよく、これは、インサート５０と一体に形成されたものであってもよいし、別体の構造であってもよい。図１１に示すように、インサート５０とは別体の回転防止部７２の一例は、リテイナー８８を含む。リテイナー８８は、図１２に示すように、インサート５０（例えば三角形インサート１５０）上に配置される構成とすることができる。リテイナー８８は、三角形インサート１５０と揃うとともに中心が一致する構成、及び／又は、長軸７４を中心とする三角形インサート１５０の回転を実質的に防止する構成とすることができる。リテイナー８８は、貫通孔９４を含んでおり、当該貫通孔の大きさ及び形状が、三角形インサート１５０の穴７６と一致していることによって、リテイナー８８が所定位置に配置されていれば、二次的部材７８を、リテイナー８８の貫通孔９４及び三角形インサート１５０の穴７６に挿入できるようになっている。リテイナー８８は、三角形インサート１５０のパネル係合構造部５２と係合するように構成された実質的に平らな面９６を含み、この実質的に平らな面９６から径方向に延びる１つ又は複数の突出タブ９８をさらに含む。図１２に示すように、突出タブ９８がコア１４の露出部分９０を覆うように、リテイナー８８を三角形インサート１５０に対して配置することができる。図１１によく表れているように、突出タブ９８を、実質的に平らな面９６に対してわずかに折り曲げることによって、突出タブ９８を、コア１４内に突出させ、少なくとも一部を、外板とコア（例えば第１の外板１６とコア１４）との間に突出させることができる。このようにして、リテイナー８８は、三角形インサート１５０の保持をより確実なものとし、長軸７４を中心とする回転を実質的に防止することができる。リテイナー８８を用いることに加えて又はこれに代えて、コア１４の露出部分９０の内部や上に接着剤（例えば、即時硬化性の接着剤又は紫外線硬化性接着剤）を注入してもよい。
【００５２】
図１３〜１５は、アンカー型のインサート１６０の形態をとった、インサート５０の別の実施例を示しており、当該インサートは、概して、パネル係合構造部５２、本体５６、及び、遠位端部５４を含んでおり、内部に穴７６が形成されている。アンカー型インサート１６０は、粗ねじ部１０２などの１つ又は複数の保持部７０、及び／又は、パネル係合構造部５２の主外縁７３から径方向に延びる延出部７１などの１つ又は複数の回転防止部７２を含む。図１３に示すように、延出部７１は、一端の厚みが多端よりも大きい楔形であってもよい。延出部７１は、任意の適当な形状とすることができ、図１４に示す変形例は、１つ又は複数の湾曲縁部を有しており、図１５に示す別の変形例は、尖った延出部７１を形成する直線状の縁部を有している。
【００５３】
図１６に示すように、アンカー型インサート１６０をサンドイッチパネル１２の孔２０（例えば止まり孔）内に取り付けると、粗ねじ部１０２及び／又は延出部７１がサンドイッチパネル１２と係合して、アンカー型インサート１６０が孔２０内の所定位置に保持され、アンカー型インサート１６０の抜け及び回転が阻止される。例えば、粗ねじ部１０２は、上側リップ部１６２及び下側リップ部１６４によって形成されており、アンカー型インサート１６０を孔２０内に取り付けて長軸７４を中心として回転させると、第１の外板１６の一部が、上側リップ部１６２と下側リップ部１６４との間に配置される。アンカー型インサート１６０の一部（例えば粗ねじ部１０２の下側リップ部１６４）をサンドイッチパネル１２の第１の外板１６とコア１４との間に配置することによって、孔２０内におけるアンカー型インサート１６０の安定性が増すとともに、その抜けを阻止することができる。これは、アンカー型インサート１６０の軸方向移動が第１の外板１６によって実質的に阻止されるように、第１の外板１６に対して保持部７０を配置することによる。
【００５４】
図１３によく表れているように、延出部７１は、上側リップ部１６２及び下側リップ部１６４を超えて径方向に延びており、アンカー型インサート１６０を孔２０内で回転させる際に、第１の外板１６の第１内側面６２に隣接する位置で、第１の外板１６の一部を変形させる（例えば、第１の外板１６の一部をコア１４内に押し下げる）ように構成されている。他の実施例において、延出部７１は、アンカー型インサート１６０を孔２０内で回転させる際に、第２の外板１８の第２内側面６６に隣接する位置で、第２の外板１８の一部を変形させる（例えば、外板１８の一部をコア１４内に押し下げる）ように構成することもできる。アンカー型インサート１６０を回転させて、粗ねじ部１０２をパネルの外板と係合させ、アンカー型インサート１６０をさらに孔２０内に向かって回し下げる際に、このような回転によって延出部７１をパネルの外板上に押し付けることができ、延出部が上方からパネルの外板を変形させるので、回転防止部６２としての役割を行うことができる。（例えば、アンカー型インサート１６０を孔２０内で所定位置まで回転させる際に、延出部７１は、第１の外板の第１外側面６４又は第２の外板１８の第２外側面６８を押さえる。）いくつかの実施例において、延出部７１は、延出部７１の垂直縁部７７が、各パネル外板に形成された対応するスリット１０６又は押し下げ部１６８に当接するまでは、アンカー型インサート１６０の回転を許容するなど、アンカー型インサート１６０の回転範囲を制限するように構成してもよい。図１６は、第１の外板１６に形成された孔２０内に、アンカー型インサート１６０が配置され、アンカー型インサート１６０のパネル係合構造部５２が第１の外板１６に隣接して位置している状態を示している。ただし、他の実施例においては、第２の外板１８に形成された孔２０内に、アンカー型インサート１６０を配置し、アンカー型インサート１６０のパネル係合構造部５２が第２の外板１８に隣接して位置するようにすることもできる。
【００５５】
粗ねじ部１０２は、１つ又は複数のブレード部１０４を含んでいてもよく、これは、図１３に示すような垂直のブレード部１０４であってもよい。ブレード部１０４は、パネル係合構造部５２から、例えば、粗ねじ部１０２の上側リップ部１６２及び／又は下側リップ部１６４から、実質的に軸方向に延びている。ブレード部１０４は、第１の外板１６（あるいは、パネル係合構造部５２が第２の外板１８に隣接して配置される場合は第２の外板１８）に形成された、例えば図１７〜図２１に示したスリット１０６などの１つ又は複数のスリット１０６と係合するように構成することができる。これに加えて又はこれに代えて、ブレード部１０４は、図１９〜図２１に示すように、例えば隣接するスリットの間に形成された、パネルの外板の１つ又は複数の押し下げ部１６８と係合するように構成してもよい。例えば、アンカー型インサート１６０を孔２０内に挿入する際に、ブレード部１０４が押し下げ部１６８内に嵌入して、アンカー型インサート１６０の回転の開始位置としての役割を行い、粗ねじ部１０２がパネルの外板と係合する。
【００５６】
次に、図１７〜図２１を参照すると、いくつかの実施例において、スリット１０６は、実質的に等間隔に形成され、第１の外板１６に形成された切り欠き９２から径方向に延びている。例えば、図１７は、互いに約１８０°の角を成すように形成された２つのスリット１０６を示している。図１８は、各々が隣接するスリット１０６に対して約９０°の角を成すように形成された４つのスリット１０６を示している。いくつかの実施例において、スリット１０６は、図１９〜図２１に示すように、隣接するスリットのペア１６６として配置することができる。図１９は、互いに対して約１８０°の角を成すように配置された、隣接するスリット１０６で構成された２つのペア１６６を示している。図２０〜図２１は、隣接するスリット１０６で構成された４つのペア１６６を示しており、各ペア１６６は、隣接する２つのペア１６６のそれぞれに対して約９０°の角を成すように配置されている。いくつかの実施例において、隣接する２つのスリット１０６の間で外板（例えば第１の外板１６又は第２の外板１８）を押し下げることによって、外板の１つ又は複数の押し下げ部１６８が形成されている。押し下げ部１６８は、インサートのパネル係合構造部５２の１つ又は複数の部分と係合（例えば、保持部７０及び／又は回転防止部７２と係合）することによって、サンドイッチパネル１２内におけるインサートの保持をより確実なものとすることができる。図１７〜図２１に図示した孔２０は、サンドイッチパネル１２のコア１４の深さの途中まで延びる止まり孔とされているが、他の構成（例えば貫通孔）も可能である。
【００５７】
図２２〜図２３は、剥離用フランジ付インサート１７０の形態をとった、インサート５０の別の実施例を示しており、当該インサートは、パネル係合構造部５２につながった一体形成の剥離用フランジ１１０を有している。剥離用フランジ１１０は、サンドイッチパネル１２に対する（例えば第１の外板１６及び孔２０に対する）剥離用フランジ付インサート１７０のアラインメント及び配置を助ける役割を行うことができ、サンドイッチパネル１２内に剥離用フランジ付インサート１７０を配置した後は、取り外すことができる。図２４は、サンドイッチパネル１２の孔２０内に取り付けられた剥離用フランジ付インサート１７０の一例を示しており、剥離用フランジ１１０が第１の外板１６の第１外側面６４に隣接して配置された状態を示している。剥離用フランジ１１０は、剥離用フランジ付インサート１７０から剥離可能となる十分な可撓性を有する、例えば金属又はポリマー材料によって形成することができる。剥離用フランジ１１０は、１つ又は複数のノッチ１７２を含んでいてもよく、ノッチは、サンドイッチパネル１２の孔２０への配置後に剥離用フランジ付インサート１７０から剥離用フランジ１１０を取り外すのに役立つ構成とされている。
【００５８】
いくつかのシステム１００において、インサート５０は、サンドイッチパネル１２の孔２０内に直接設置されるのではなく、インサート受けベースの内部に設置される。図２５〜図３２は、インサート受けベース１２６の様々な例を示しており、これらのうちのいくつかは、サンドイッチパネルの止まり孔内に配置するためのもの（図２５〜図２８）であり、いくつかは、サンドイッチパネルの貫通孔内に配置するためのもの（図２９〜図３２）である。いくつかのインサート受けベース１２６は、１つのインサート５０が挿入されるように構成されており（図２５〜図２８及び図３１〜図３２）、他のインサート受けベース１２６は、２つのインサート５０が挿入されるように構成されている（図２９〜図３０）。いくつかのインサート受けベース１２６は、１つ又は複数の拡張型のアンカー壁１４０（図２５〜図２９及び図３１〜図３２）を含んでおり、他はよりシンプルな構成（図３０）を有している。いくつかのインサート受けベース１２６は、互いに異なる特徴を有する第１部分１４２及び第２部分１４４（図３０〜図３２）を含む。
【００５９】
図２５は、インサートが中に配置されていない状態のインサート受けベース１２６を示している。外側ベース面１２８は、サンドイッチパネル１２の孔２０と係合するように構成されており、内側ベース面１３０は、インサート５０を挿入するための内部キャビティ１３２を規定している。インサート受けベース１２６の第１外板係合構造部１３６は、サンドイッチパネル１２の外板（例えば第１の外板１６又は第２の外板１８）と係合するように構成されている。１つ又は複数のアンカー壁１４０は、拡張可能部１２４であり、インサート５０を内部キャビティ１３２内に取り付けた際に径方向外方に広がってコア１４内に入り込み、これによって、インサート受けベース１２６を孔２０内の所定位置に固定するように構成されている。図２６は、図２５のインサート受けベース１２６内の所定位置に配置されたインサート５０の一例を示しており、図２７は、これと同じものをインサート５０及びインサート受けベース１２６の一部を取り除いた状態にて示している。インサート５０をインサート受けベース内に取り付ける前に、インサート受けベース１２６を孔２０内に挿入することもできるが、図２６〜図２７は、明確に示すために、サンドイッチパネル１２の外にある状態の、インサート受けベース１２６内のインサート５０を示している。図２７に示すように、インサート受けベース１２６内にインサート５０を取り付けると、インサート５０の本体５６と内側ベース面１３０との間、ならびに、インサート５０の遠位端部５４と内側ベース面１３０との間に空間２６が形成され、いくつかの実施例において、当該空間に接着剤を入れることができる。
【００６０】
図２８に示すように、サンドイッチパネル１２の孔２０内に取り付けられると、１つ又は複数の保持部７０が、孔２０内におけるインサート受けベース１２６の保持を助ける役割を行う。例えば、リップ部１４１は、第１の外板１６に係合して、リップ部１４１の一部が第１の外板１６の第１内側面６２に隣接して位置し、リップ部１４１の別の一部が第１の外板１６の第１外側面６４に隣接して位置することによって、第１の外板１６の一部をリップ部１４１内に捕捉するように構成されている。これに加えて又はこれに代えて、１つ又は複数のアンカー壁１４０は枢動するよう構成されており、アンカー壁１４０は、インサート受けベース１２６の残りの部分に対して近接又は離間するように、径方向に拡縮する。インサート受けベース１２６のアンカー壁１４０は、インサート受けベース１２６を孔２０内に挿入する際に、緩和位置から径方向内方に収縮し、インサート５０がインサート受けベース１２６内に取り付けられると、径方向外方に広がって、インサート受けベース１２６を孔２０内に固定する。例えば、図２８において、アンカー壁１４０は、インサート５０に隣接する第１の位置にある状態、及び、破線で示した第２の位置にある状態が示されており、第２の位置では、アンカー壁１４０は、インサート受けベース１２６の残りの部分から約４５°広がっており、これは、孔２０内にインサート５０及びインサート受けベース１２６を挿入する前における、アンカー壁１４０の緩和状態の拡張位置を表している。
【００６１】
アンカー壁１４０は、インサート受けベース１２６内にインサート５０を挿入した際に任意の量だけ広がって、図２８に示した２つの位置の間の任意の最終取り付け位置を取る構成とすることができる。例えば、アンカー壁１４０は、内部キャビティ１３２の長軸（例えば長軸７４）に対して、少なくとも１°、少なくとも５°、少なくとも１０°、少なくとも１５°、少なくとも２０°、少なくとも２５°、少なくとも３０°、少なくとも３５°、少なくとも４０°、少なくとも４５°、少なくとも５０°、少なくとも５５°、及び／又は、少なくとも６０°の角度を形成するように広がる構成とすることができる。これに加えて又はこれに代えて、アンカー壁１４０は、広がった際に、内部キャビティ１３２の周縁から、少なくとも、０．２５ｍｍ、０．５ｍｍ、０．７５ｍｍ、１ｍｍ、１．５ｍｍ、２ｍｍ、３ｍｍ、４ｍｍ、５ｍｍ、６ｍｍ、７ｍｍ、８ｍｍ、９ｍｍ、及び／又は、少なくとも１０ｍｍの距離、突出する構成とすることもできる。いくつかの実施例において、アンカー壁１４０は、インサート受けベース１２６の残りの部分に対するアンカー壁１４０の所与の範囲の移動を可能にするように構成されたリブヒンジ（live hinge）又はリビングヒンジ（living hinge）を含んでいてもよい。インサート受けベース１２６を孔２０内に挿入することによって、アンカー壁１４０が長軸７４に向かって径方向に収縮し、これによって、アンカー壁１４０をコア１４及び／又はパネル外板（例えば第１の外板１６又は第２の外板１８）と係合させることができる。また、インサート５０をインサート受けベース１２６内に挿入することによって、アンカー壁１４０が長軸７４から離間する方向に広がり、アンカー壁１４０を図示の２つの位置の間の最終位置に位置させることができる。
【００６２】
図２９は、インサート受けベース１２６を示しており、当該インサート受けベースは、図２８のインサート受けベース１２６に実質的に類似する、第１のインサート５０が挿入されるように構成された第１部分１４２を有する。図２９のインサート受けベース１２６の第２部分１４４は、第２のインサート５０’が挿入されるように構成されており、第２のインサートは、第１のインサート５０と同じタイプのインサートであってもよいし、異なるタイプのインサートであってもよい。いくつかの実施例において、インサート受けベース１２６の第２部分１４４は、第１部分１４２よりも簡単な構造とすることができる。例えば、第２部分１４４は、リップ部１４１又はアンカー壁１４０を含まない構成であってもよい。他の実施例において、第２部分１４４は、これらのうちの１つもしくは両方、又はその他の保持部７０含んでいてもよい。いくつかの実施例において、図３０に示したように、インサート受けベース１２６は、リップ部１４１又はアンカー壁１４０のいずれも含まない構成としてもよい。
【００６３】
図２９及び図３０は、貫通孔２４に２つのインサート５０が挿入されるように構成されたインサート受けベース１２６を示しているが、図３１及び図３２は、貫通孔２４用に構成されているものの、例えば第１外板係合構造部１３６から第２外板係合構造部１３８まで延びる１つのインサート５０が挿入されるインサート受けベース１２６の一例を示している。第１部分１４２は、図３１〜図３２のインサート受けベース１２６にインサート５０を挿入した際に、サンドイッチパネル１２のコア１４内に広がるように構成されている。図３１は、インサート受けベース１２６及びインサート５０を、第１外板係合構造部１３６側から見た分解図で示しており、図３２は、同じインサート受けベース１２６及びインサート５０の、インサート５０がインサート受けベース１２６内に取り付けられた状態を、第２外板係合構造部１３８側から見たものを示す。図２５〜図２７及び図３１〜図３２に示すように、インサート受けベース１２６は、接着剤を入れるための１つ又は複数のベント穴１０８を含む。
【００６４】
図３３〜図４６は、本開示によるインサート５０に用いるように構成されたスナップリング１１２の様々な例を、インサート５０及びスナップリング１１２が挿入される、サンドイッチパネル１２の孔２０の様々な形状と共に示したものである。例えば、図３３〜図図３４は、スナップリング１１２の一例を上方から見た斜視図（図３３）及び下方から見た斜視図（図３４）である。このスナップリングは、まず、サンドイッチパネル１２の孔２０内に挿入され、次に、当該スナップリング１１２内にインサート５０がスナップ係合されるように構成されたものである。他の実施例において、インサート又はスナップリングのいずれかをサンドイッチパネル１２の孔２０内に挿入する前に、インサート５０をスナップリング１１２内にスナップ係合させ、インサート５０とスナップリング１１２とを、サブアセンブリとして、一緒に孔２０に挿入してもよい。スナップリング１１２は、本明細書に開示されたいずれの形態のインサート５０とともに用いるように構成してもよいし、従来の円形インサート１０とともに用いるように構成してもよい。スナップリング１１２は、当該スナップリング１１２の本体１１６から軸方向に延びる１つ又は複数のクリート１１４を含む。図３３〜図３４に示した例は、軸方向に延びる２つのクリート１１４を含んでいるが、様々な異なる実施例において、これよりも多くの又は少ないクリート１１４を含むこともできる。例えば、本開示によるスナップリング１１２は、スナップリング本体１１６から軸方向に延びる、少なくとも１個、少なくとも２個、少なくとも３個、少なくとも４個、少なくとも５個、少なくとも６個、少なくとも７個、及び／又は、少なくとも８個のクリート１１４を含む構成とすることができる。
【００６５】
クリート１１４は、孔２０に挿入した際に、サンドイッチパネル１２のコア１４、第１の外板１６及び／又は第２の外板１８と係合するように構成したり、インサート５０によって径方向外方に押し出されてスナップリング本体１１６から径方向外方に広がり、サンドイッチパネル１２と係合して、孔２０内の所定位置にスナップリング１１２とインサート５０を固定するように構成したりすることができる。いくつかの実施例において、スナップリング１１２及びインサート５０をサンドイッチパネル１２の孔２０内に挿入した際に、１つ又は複数のクリート１１４の一部が、パネル外板の下側に位置するようにしてもよい。図３３〜図３５に示すように、クリート１１４は、１つ又は複数のテーパー部７９を含んでいてもよく、当該テーパー部は、スナップリング１１２が孔２０内の所定位置にスナップ係合される際に、クリート１１４のテーパー部７９の下側にパネル外板をクリンプ（crimp）するように構成されている。クリート１１４は、スナップリング１１２及び／又はスナップリング１１２内に収容されたインサート５０の、孔２０に対する回転防止部７２としての役割を行う。クリート１１４は、実質的に耳状のクリート１１４として示されているが、他の形状も本開示の範囲内である。例えば、スナップリング１１２は、実質的に円形、実質的に正方形、実質的に三角形、実質的に矩形、実質的に多角形、実質的に楕円形、実質的に半球形、実質的に台形、及び／又は、例えば不規則形状などの任意の他の形状のクリート１１４を含んでいてもよい。
【００６６】
スナップリング１１２は、当該スナップリング１１２に対するインサート５０の回転を実質的に防止する１つ又は複数の回転止め１１８を含む。例えば、スナップリング１１２内における、長軸７４を中心とするインサート５０の回転は、１つ又は複数の回転止め１１８が、インサート５０の１つ又は複数の他の特異部（例えば、パネル係合構造部５２、ベント穴１０８など）に突き当たるまでは可能であり、これによって、スナップリング１１２に対するインサート５０のさらなる回転が防止される。図３３〜図３４に示すように、回転止め１１８は、スナップリング本体１１６から径方向に（例えば図３３〜図３４に示すように径方向内方に）延びる径方向突起１７４、及び、スナップリング本体１１６及び／又は径方向突起１７４から軸方向に延びる軸方向突起１７６を有していてもよい。図３３〜図３４に示すように、軸方向突起１７６は、スナップリング本体１１６から軸方向「下方に」延びていてもよい。この方向は、１つ又は複数のクリート１１４と同じ軸方向、及び／又は、スナップリング本体１１６の第１面１７８から軸方向に離間してスナップリング本体１１６の下方の第２面１８０に向かう（例えば、第２面１８０は第１面１７８とは反対側を向く）方向であってもよい。
【００６７】
図３５は、図３３〜図３４に示したスナップリング１１２の変形例を示している。図３３及び図３４と比較すると、図３５のスナップリング１１２は、図３３〜図３４のものと大きさ及び形状が類似するクリート１１４を含む。しかしながら、図３３〜図３４のスナップリングとは異なり、図３５のスナップリングは、スナップリング１１２の下側からインサートを取り付ける（例えば、第２面１８０から第１面１７８に向かってインサートを取り付ける）ことによって、インサートと係合するように構成されている。図３５に示した例のスナップリング１１２は、スナップリング本体１１６から径方向外方に延びる１つ又は複数のブレード部１０４を含み、当該ブレード部は、例えば、サンドイッチパネル１２における孔２０もしくは切り欠き９２に設けた１つ又は複数のスリット１０６又は他の構造部と係合するためのものである。図３５のスナップリング１１２は、サンドイッチパネルの孔にインサート又はスナップリングのいずれかを挿入する前に、インサートに載置するように構成することができ、これによれば、スナップリング１１２とインサートを一緒に孔に挿入することができる。
【００６８】
図３６は、スナップリング１１２のさらに別の変形例を示しており、この例は、図３３〜図３４のものと類似の回転止め１１８を有するが、スナップリング１１２のスナップリング本体１１６から延びるクリート１１４が異なっている。図３６のスナップリング１１２は、スナップリング本体１１６から延びる４つのクリート１１４を含む。図３６に示すように、クリート１１４は、図３３〜図３５に示したような軸方向というよりはむしろ、スナップリング本体１１６から実質的に径方向に延びている。図３６のスナップリング１１２のクリート１１４は、スナップリング１１２に取り付けられたインサート５０、ならびに、パネル外板（例えば、サンドイッチパネル１２の第１の外板１６又は第２の外板１８）と係合するように構成されている。例えば、図３７は、インサート５０の所定位置に配置された図３６のスナップリング１１２を、インサート５０の遠位端部５４側から見た斜視図で示している。図３７に示すように、クリート１１４はパネル係合構造部５２と係合して、スナップリング１１２をインサート５０に固定するように構成されており、回転止め１１８は、インサート５０のベント穴１０８に係合するように構成されている。クリート１１４は、インサート５０及びスナップリング１１２をサンドイッチパネルの孔に挿入した際に、同時に、サンドイッチパネルの第１の外板又は第２の外板（例えば、サンドイッチパネル１２の第１の外板１６又は第２の外板１８）と係合するように構成されている。図３８は、本開示による、サンドイッチパネル１２の孔２０内に取り付けられたスナップリング１１２及びインサート５０の概略断面図であり、スナップリング１１２（例えば、スナップリング１１２の本体１１６及びクリート１１４）がサンドイッチパネル１２の第１の外板１６と係合するとともに、インサート５０とも係合している状態を示している。
【００６９】
図３９〜図４１は、サンドイッチパネル１２内の孔２０及び／又は切り欠き９２の孔形状の様々な例を示しており、これらに対して、インサート５０及び／又はスナップリング１１２が係合するように構成されうるものである。例えば、図３９は、実質的に円形の切り欠き９２を備えた一般的な孔２０を示しており、これは、本開示によるインサート又はスナップリングと係合するように設計された特別な部分を特に有しないものである。図４０は、１つ又は複数の孔ノッチ１８２が形成された孔２０及び切り欠き９２を示しており、この孔ノッチ１８２は、インサート５０及び／又はスナップリング１１２の１つ又は複数の部分と係合するように構成されている。例えば、図３６のスナップリング１１２の１つ又は複数のクリート１１４及び／又は回転止め１１８は、これらが孔ノッチ１８２内に位置するようにスナップリング１１２を回転させると、当該孔ノッチ内に収容されるように構成されている。同様に、図４１は、１つ又は複数のスリット１０６が形成された孔２０及び切り欠き９２を示しており、これは、例えば、図３６のスナップリング１１２の回転止め１１８と係合するように構成されている。
【００７０】
図４２〜図４６は、本開示による、スナップリング１１２の一例及びインサート５０が、サンドイッチパネル１２の孔２０に取り付けられる過程を、順に示している。図４２に示すように、スナップリング１１２を、インサート５０における、パネル係合構造部５２に隣接する位置に配置して、スナップリング１１２を、パネル係合構造部５２と遠位端部５４との間に（例えば、クリート１１４がインサート５０の本体５６に隣接する状態で）保持させる。このように組み付けた状態で、図４３に示すように、スナップリング１１２及びインサート５０を、サンドイッチパネル１２の孔２０に挿入する。スナップリング１１２のスナップリング本体１１６の第２面１８０は、サンドイッチパネル１２の外板の外側面（例えば、第１の外板１６の第１外側面６４）と係合する。サンドイッチパネル１２の孔内に配置された後、図４４に示すように、インサート５０を、孔２０及びスナップリング１１２内にさらに挿入する。スナップリング１１２のスナップリング本体１１６は、孔２０及び／又は切り欠き９２よりも直径が大きいため、スナップリング１１２のスナップリング本体１１６が外板（例えば図示のように、第１の外板１６）を通り越して孔２０内に入ることは防止される。しかしながら、孔２０にインサート５０をさらに挿入することによって、スナップリング１１２（例えばスナップリング本体１１６及びクリート１１４）が、第１の外板１６を把持する状態（例えば、スナップリング１１２の一部が第１の外板１６の第１外側面６４に隣接して位置するとともに、スナップリング１１２の別の一部が第１の外板１６の第１内側面６２に隣接して位置する状態）、及び／又は、スナップリングがサンドイッチパネル１２のコア１４と係合する状態、とすることができる。最後に、図４５に示すように、インサート５０を、スナップリング１１２及び孔２０に対して長軸７４を中心として回転させる。このような回転によって、インサート５０を、スナップリング１１２及び孔２０内の所定位置にロックすることができるようになっている。このようなロックは、例えば、スナップリング１１２の回転止め１１８を、インサート５０のパネル係合構造部５２と係合させることによって行うことができ、この時点で、接着剤及び／又は二次的部材７８の注入及び／又は取り付けを行うことができる。図４６は、インサート５０及びスナップリング１１２の斜視図であり、スナップリング１１２に対してインサート５０を回転させることによって、回転止め１１８がインサート５０のパネル係合構造部５２と係合している状態のインサート５０を示している。
【００７１】
図４７〜図４８は、本開示による例示的且つ非排他的な方法の例を表すフローチャートの概略である。図４７〜図４８において、破線のボックスで示している工程があるが、これは、このような工程が任意のものであるか、或いは、本開示による方法の任意の態様に対応するものであることを示している。ただし、本開示によるすべての方法が、実線のボックスで示した工程を含む必要があるわけではない。図４７〜図４８に示した方法及び工程は、限定的なものではなく、他の方法及び工程も本開示の範囲内であり、本明細書における説明から理解されるように、より多くの工程又はより少ない工程を有する方法も本開示の範囲に含まれる。
【００７２】
図４７は、図４２〜図４６に対応する、インサート（例えばインサート５０）及びスナップリング（例えばスナップリング１１２）を取り付ける方法２００の例を示している。例えば、２０２においてインサート及びスナップリングを用意し、２０４において（例えば図４２に示すように）スナップリングをインサートに載置する。２０６において、（例えば図４３に示すように）スナップリングの少なくとも一部を、サンドイッチパネル（例えばサンドイッチパネル１２）に形成された孔（例えば孔２０）内に挿入する。いくつかの方法において、インサートをスナップリング内に保持させる前に、スナップリングを孔に配置してもよい。（例えば、２０６において、スナップリングを孔に押し込むことは、スナップリングのみを、孔に対して配置し、パネル外板（例えば第１の外板１６又は第２の外板１８）と係合させることを含みうる。）他の方法においては、２０６においてスナップリングをパネル孔に押し込む前に、２０４においてインサートをスナップリング内に保持させる。これによれば、２０６においては、インサートとスナップリングが一緒に孔に挿入される。
【００７３】
いくつかの方法において、２０６において、スナップリング及びインサートの少なくとも一部を挿入することは、スナップリングがサンドイッチパネルの外板と係合するまで（例えば、スナップリング１１２のスナップリング本体１１６の第２面１８０がサンドイッチパネル１２の第１の外板１６の第１外側面６４と接触するまで）インサートをサンドイッチパネルの孔に押し込むことを含みうる。２０８において、孔及びスナップリングにインサートをさらに押し込み、これによって、（例えば図４４に示すように）スナップリングを広げて、コア（例えばコア１４）及び／又はサンドイッチパネルの外板と係合させる。２１０において、孔の長軸（例えば長軸７４）を中心としてスナップリングに対してインサートを回転させ、（例えば図４５に示すように）孔及びスナップリング内の所定位置にインサートをロックする。方法２００は、工程２００〜２１０を任意の回数繰り返すことを含んでいてもよく、これによって、任意の数のスナップリング及びインサートを、１つのサンドイッチパネル又は複数のサンドイッチパネルに形成された任意の数の孔に挿入することができる。いくつかの方法２００は、２１２において接着剤（例えばポッティング剤）を注入すること、及び／又は、２１４においてインサートの穴（例えば穴７６）に二次的なコンポーネント（例えば二次的部材７８）を取り付けること、を含みうる。
【００７４】
図４８は、サンドイッチパネル（例えばサンドイッチパネル１２）の孔（例えば孔２０）にインサート（例えばインサート５０）を取り付ける方法３００を示しており、当該方法は、概して、３０２においてサンドイッチパネルに孔を形成すること、及び、３０４においてインサートを用意して当該孔内に取り付けることを含みうる。３０２において孔を形成することは、少なくとも１つの孔（いくつかの実施例においては円形の孔である）を形成することを含み、且つ、単一のサンドイッチパネル及び／又は複数のサンドイッチパネルに複数の孔を形成することを含む。３０２における孔の形成は、任意の適当な方法によって行うことができ、３０６におけるドリリング、３０８におけるミリング（milling）、及び／又は、３１０におけるパンチセットを用いた打抜きを含みうる。３０２において孔を形成することは、サンドイッチパネルに、１つ又は複数の止まり孔、１つ又は複数の二連の止まり孔、及び／又は、１つ又は複数の貫通孔を形成することを含みうる。（例えば、３０２において孔を形成することは、サンドイッチパネルの第１の外板及び第２の外板のうちの少なくとも一方を貫通しコア内に延びる少なくとも１つの孔を形成することを含みうる。）３０４においてインサートを用意して取り付けることは、少なくとも１つの孔に少なくとも１つのインサートを取り付けて、インサートのパネル係合面がサンドイッチパネル（例えば、サンドイッチパネルの第１の外板又は第２の外板）に係合するとともに、インサートの本体がサンドイッチパネルの孔内に位置するようにすることを含みうる。いくつかの実施例において、３０４においてインサートを用意して取り付けることは、各孔に１つのインサートを取り付けることを含みうる。これに加えて又はこれに代えて、３０４においてインサートを用意して取り付けることのいくつかの例は、１つ又は複数の孔の各々に２つのインサートを取り付けることを含み、これら２つのインサートは、同じタイプのインサートであっても異なるタイプのインサートであってもよい。
【００７５】
いくつかの方法３００においては、３１２において、例えば孔の１つ又は複数に隣接するサンドイッチパネルの外板の一部をミリングすることによって、サンドイッチパネル内の１つ又は複数の孔に隣接する位置に切り欠き（切り欠き９２）を形成してもよい。３１２において切り欠きを形成することは、その内側にある孔よりも面積の大きい切り欠きを形成することを含み、切り欠きは、孔の深さの一部のみに延びるように形成される。３１２において切り欠きを形成することは、実質的に三角形、実質的に円形、多角形、及び／又は他の形状などの、任意の形状の切り欠きを形成することを含みうる。いくつかの方法において、各サンドイッチパネルにおける１つ又は複数の切り欠きを、当該サンドイッチパネルの１つ又は複数の他の切り欠きとは異なる形状としてもよい。
【００７６】
これに加えて又はこれに代えて、本開示によるインサートが挿入されるように、サンドイッチパネルを用意することができ、これは、例えば、３１４において、孔の１つ又は複数に隣接し且つ孔から径方向に延びる１つ又は複数のスリット（例えばスリット１０６）を外板に形成することによって行うことができる。３１４において１つ又は複数のスリットを形成することは、１つのサンドイッチパネルに形成された複数の孔の各々の隣接位置に、１つ又は複数のスリットを形成することを含んでもよいし、所与のサンドイッチパネルにおける孔の一部のみの隣接位置にスリットを形成することを含んでもよい。いくつかの方法３００において、３１４において外板にスリットを形成することは、３１６においてサンドイッチパネルの外板の一部を押し下げることを含みうる。例えば、隣接するスリットのペアの間の部分などの、サンドイッチパネルの外板（例えば第１の外板又は第２の外板）の１つ又は複数の部分を、サンドイッチパネルのコア内に押し下げてもよい。
【００７７】
３０４においてまずインサートを孔に挿入した後、３１８において、孔及びインサートの長軸（例えば長軸７４）を中心としてインサートを回転させてもよい。これは、孔内の所定位置にインサートを固定するのに役立つ。いくつかの方法において、３１８においてインサートを回転させることは、インサートを、長軸を中心としてサンドイッチパネルに対して、少なくとも５°、少なくとも１０°、少なくとも２０°、少なくとも３０°、少なくとも４０°、少なくとも５０°、少なくとも６０°、少なくとも７０°、少なくとも８０°、少なくとも９０°、少なくとも１２０°、少なくとも１５０°、及び／又は、少なくとも１８０°回転させることを含みうる。いくつかの方法において、３１８においてインサートを回転させることは、孔の隣接位置において、サンドイッチパネルの外板とコアとの接合を破断することを含みうる。例えば、３１８においてインサートを回転させることによって、インサートの一部（例えば、角部、突起、粗ねじ部などのパネル係合構造部の一部）を、サンドイッチパネルの外板の下側の、外板とコアとの間の位置まで回転させることができる。いくつかの方法において、３１８においてインサートを回転させることは、回転止め（例えばスナップリング１１２の回転止め１１８）が、インサートの一部（例えばインサート５０のベント穴１０８）に接触するまで、インサートを回転させることを含みうる。
【００７８】
いくつかの方法３００は、３２０において、サンドイッチパネルの孔の１つ又は複数に、インサート受けベース（例えばインサート受けベース１２６）を取り付けることを含みうる。いくつかの方法において、３２０においてインサート受けベースを取り付けることは、３０４においてインサートを取り付ける前に行ってもよく、これによれば、インサート受けベースが孔に直接挿入され、インサートはインサート受けベース内に挿入されることになる。いくつかのこのような方法においては、３０４においてインサートを取り付けることによって、３２１において、インサートが取り付けられた各インサート受けベースが広がり、インサートがインサート受けベースの内側面を押圧することによって、インサート受けベースの外側面の少なくとも一部が、各孔内に押し込まれる。いくつかの方法は、３２２において、１つ又は複数のインサート受けベースのそれぞれから少なくとも１つのインサートを取り除くことを含みうる。例えば、インサート受けベースに間違ったインサートが取り付けられた場合、３２２においてこの間違ったインサートを取り外し、３０４において、もう一度、別のインサート（例えば正しいインサート）をインサート受けベースに配置することができる。
【００７９】
いくつかの方法３００は、３２４において、１つ又は複数のインサートに、リテイナー（例えばリテイナー８８）を取り付けることを含みうる。リテイナーは、サンドイッチパネルに対する各インサートの動きを阻止するように構成されている。これに加えて又はこれに代えて、方法３００は、３２５において、スナップリング（例えばスナップリング１１２）を取り付けることを含みうる。この取り付けは、図４７に示した、方法２００の１つ又は複数の工程を含みうる。いくつかの方法３００は、３０４においてインサートを取り付けた後に、３２６においてインサートから剥離用フランジ（例えば剥離用フランジ１１０）を取り外すこと、及び／又は、３２８において、インサートの１つ又は複数のベント穴（例えばベント穴１０８）に、接着剤（例えば、ポッティング剤、即時硬化性の接着剤、及び／又は、紫外線硬化性接着剤）を注入して、孔の内部における、インサートとサンドイッチパネルのコアとの間の空間の少なくとも一部を接着剤で満たすこと、を含みうる。いくつかの方法３００は、３３０においてインサートの穴に１つ又は複数の二次的部材（例えば二次的部材７８）を挿入すること、及び／又は、３３２においてインサートに負荷を付与することを含みうる。当該負荷は、二次的部材に起因するものであっても、二次的部材とは無関係のものであってもよい。いくつかの方法３００において、３３２において負荷を付与すること、及び／又は、３３０において二次的部材を挿入することは、３２８における注入プロセス中に注入された接着剤が硬化する前、或いは、接着剤を一切使用せずに、行うことができる。換言すれば、本開示のインサート、スナップリング、及び／又は、インサート受けベースは、接着剤の使用とは関係無く、サンドイッチパネルの孔内で固定されるように構成することができる。いくつかの方法において、孔内におけるインサートの保持を補うために接着剤を用いてもよいが、接着剤が必要なわけではない。いくつかの実施例において、方法３００の１つ又は複数の工程は、自動化されていてもよい。例えば、３０４において少なくとも１つの孔を形成すること、及び／又は、３０４において各孔に少なくとも１つのインサートを取り付けることは、自動化されていてもよい。
【００８０】
本開示による発明の要旨の例示的且つ非排他的な例は、以下に列記した項に記載されている。
【００８１】
Ａ１．  第１の外板と、前記第１の外板の反対側の第２の外板と、これらの間のコアとを含むサンドイッチパネル内に取り付けられるように構成されたインサートであって、
前記インサートが前記サンドイッチパネルの孔内に取り付けられた際に、前記サンドイッチパネルの前記第１の外板及び前記第２の外板のうちの一方と係合するように構成されたパネル係合構造部と、
前記パネル係合構造部の反対側にある遠位端部と、
前記パネル係合構造部と前記遠位端部との間に位置する本体であって、前記インサートが前記サンドイッチパネル内に取り付けられた際に前記サンドイッチパネルの前記コアと係合するように構成されているとともに、前記パネル係合構造部から前記遠位端部に向かって前記本体内に延びる穴が形成されている本体と、
前記サンドイッチパネル内に前記インサートを保持するように構成されており、前記インサートが前記サンドイッチパネル内に取り付けられた際に、少なくとも一部が前記サンドイッチパネルの前記第１の外板と前記第２の外板との間に位置するように構成された保持部と、
前記インサートが前記サンドイッチパネル内に完全に挿入された後の、前記サンドイッチパネルに対する前記インサートの回転を阻止するように構成された回転防止部と、を含み、前記インサートは、前記穴に二次的部材が挿入されるように構成されており、前記二次的部材は、前記インサートを介して、前記サンドイッチパネルに局所的負荷を伝達するように構成されている、インサート。
【００８２】
Ａ１.１.  前記パネル係合構造部は、前記サンドイッチパネルの前記第１の外板と係合するように構成されている、項Ａ１に記載のインサート。
【００８３】
Ａ１.２.  前記遠位端部は、前記サンドイッチパネルの前記第２の外板と係合するように構成されている、項Ａ１．１に記載のインサート。
【００８４】
Ａ１.３.  前記パネル係合構造部は、前記サンドイッチパネルの前記第２の外板と係合するように構成されている、項Ａ１に記載のインサート。
【００８５】
Ａ１.４.  前記遠位端部は、前記サンドイッチパネルの前記第１の外板と係合するように構成されている、項Ａ１．３に記載のインサート。
【００８６】
Ａ１.５.  前記穴は、前記パネル係合構造部によって規定される第１の平面及び前記遠位端部によって規定される第２の平面に実質的に垂直な長軸を有する、項Ａ１〜Ａ１．４のいずれか１つに記載のインサート。
【００８７】
Ａ１.６.  前記パネル係合構造部は、フランジを含み、前記フランジは、前記遠位端部の方向を向くように配置された内側フランジ面を含み、前記フランジは、前記遠位端部とは反対側を向く外側フランジ面をさらに含む、項Ａ１〜Ａ１．５のいずれか１つに記載のインサート。
【００８８】
Ａ１.７.  前記内側フランジ面は、前記インサートが前記サンドイッチパネル内に取り付けられた際に、前記サンドイッチパネルの前記第１の外板及び前記第２の外板のうちの一方と係合するように構成されている、項Ａ１．６に記載のインサート。
【００８９】
Ａ１.８.  前記外側フランジ面は、前記インサートが前記サンドイッチパネル内に取り付けられた際に、前記サンドイッチパネルの前記第１の外板及び前記第２の外板のうちの一方と係合するように構成されている、項Ａ１．６に記載のインサート。
【００９０】
Ａ２.  前記穴は、前記パネル係合構造部から前記遠位端部まで延びている、項Ａ１〜Ａ１．８のいずれか１つに記載のインサート。
【００９１】
Ａ３.  前記穴は、雌ねじ部を含む、項Ａ１〜Ａ２のいずれか１つに記載のインサート。
【００９２】
Ａ４.  前記遠位端部は、前記インサートが前記サンドイッチパネル内に取り付けられた際に、前記サンドイッチパネルの前記第２の外板の第２外側面と実質的に面一となるように構成されており、前記第２外側面は前記サンドイッチパネルの前記コアとは反対側を向いている、項Ａ１〜Ａ３のいずれか１つに記載のインサート。
【００９３】
Ａ５.  前記遠位端部は、前記インサートが前記サンドイッチパネル内に取り付けられた際に、前記サンドイッチパネルの前記コアと係合するように構成されている、項Ａ１〜Ａ３のいずれか１つに記載のインサート。
【００９４】
Ａ６.  前記パネル係合構造部は、実質的に三角形である、項Ａ１〜Ａ５のいずれか１つに記載のインサート。
【００９５】
Ａ７.  前記サンドイッチパネルの前記第１の外板は、前記サンドイッチパネルの前記コアとは反対側を向く第１外側面、及び、前記第１外側面の反対側の、前記サンドイッチパネルの前記コアに対面する第１内側面を含み、前記インサートの前記パネル係合構造部の少なくとも一部は、前記インサートが前記サンドイッチパネル内に取り付けられた際に、前記第１の外板の前記第１内側面と係合するように構成されている、項Ａ１〜Ａ６のいずれか１つに記載のインサート。
【００９６】
Ａ８.  前記インサートが前記サンドイッチパネル内に取り付けられた際に、前記パネル係合構造部の少なくとも一部は、前記第１の外板の前記第１内側面と前記コアとの間に位置する、項Ａ７に記載のインサート。
【００９７】
Ａ８.１.  前記インサートが前記サンドイッチパネル内に取り付けられた際に、前記パネル係合構造部の表面積の少なくとも５％、少なくとも１０％、少なくとも２０％、少なくとも２５％、少なくとも３３％、少なくとも４０％、少なくとも５０％、少なくとも６７％、及び／又は、少なくとも７５％が、前記サンドイッチパネルの前記第１内側面と前記コアとの間に位置する、項Ａ７又はＡ８に記載のインサート。
【００９８】
Ａ９.  前記パネル係合構造部の前記回転防止部は、前記パネル係合構造部の主外縁から延びる少なくとも１つの延出部を含み、前記少なくとも１つの延出部は、前記インサートが前記サンドイッチパネル内に取り付けられた際に、前記第１の外板の前記第１外側面に隣接して位置するように構成されている、項Ａ７、Ａ８、及び／又はＡ８．１に記載のインサート。
【００９９】
Ａ１０.  前記少なくとも１つの延出部は、長さに沿って厚みが変化する楔形である、項Ａ９に記載のインサート。
【０１００】
Ａ１１.  前記パネル係合構造部は、実質的に多角形である、項Ａ１〜Ａ１０のいずれか１つに記載のインサート。
【０１０１】
Ａ１１.１.  前記パネル係合構造部は、複数の角部によってそれぞれ繋げられた複数の直線縁部を含み、前記保持部は、前記角部のうちの少なくとも１つを含み、前記角部は、前記インサートが前記サンドイッチパネル内に取り付けられた際に、前記第１の外板の第１内側面と前記コアとの間に位置するように構成されている、項Ａ１〜Ａ１０のいずれか１つに記載のインサート。
【０１０２】
Ａ１２.  前記複数の角部の各々は、丸みを帯びた角部である、項Ａ１１．１に記載のインサート。
【０１０３】
Ａ１２.１.  前記サンドイッチパネルの前記第２の外板は、前記サンドイッチパネルの前記コアとは反対側を向く第２外側面、及び、前記第２外側面の反対側の、前記サンドイッチパネルの前記コアに対面する第２内側面を含み、前記インサートの前記パネル係合構造部の少なくとも一部は、前記インサートが前記サンドイッチパネル内に取り付けられた際に、前記第２の外板の前記第２内側面と係合するように構成されている、項Ａ１〜Ａ１２のいずれか１つに記載のインサート。
【０１０４】
Ａ１２.２.  前記インサートが前記サンドイッチパネル内に取り付けられた際に、前記パネル係合構造部の少なくとも一部は、前記第２の外板の前記第２内側面と前記コアとの間に位置する、項Ａ１２．１に記載のインサート。
【０１０５】
Ａ１２.３.  前記インサートが前記サンドイッチパネル内に取り付けられた際に、前記パネル係合構造部の表面積の少なくとも５％、少なくとも１０％、少なくとも２０％、少なくとも２５％、少なくとも３３％、少なくとも４０％、少なくとも５０％、少なくとも６７％、及び／又は、少なくとも７５％が、前記サンドイッチパネルの前記第２内側面と前記コアとの間に位置する、項Ａ１２．１又はＡ１２．２に記載のインサート。
【０１０６】
Ａ１２.４.  前記パネル係合構造部の前記回転防止部は、前記パネル係合構造部の主外縁から延びる少なくとも１つの延出部を含み、前記少なくとも１つの延出部は、前記インサートが前記サンドイッチパネル内に取り付けられた際に、前記第２の外板の前記第２外側面に隣接して位置するように構成されている、項Ａ１２．１、Ａ１２．２、及び／又はＡ１２．３に記載のインサート。
【０１０７】
Ａ１２.５.  前記少なくとも１つの延出部は、長さに沿って厚みが変化する楔形である、項Ａ１２．４に記載のインサート。
【０１０８】
Ａ１２.６.  前記パネル係合構造部は、複数の角部によってそれぞれ繋げられた複数の直線縁部を含み、前記保持部は、前記角部のうちの少なくとも１つを含み、前記角部は、前記インサートが前記サンドイッチパネル内に取り付けられた際に、前記第２の外板の第２内側面と前記コアとの間に位置するように構成されている、項Ａ１２．１〜Ａ１２．５のいずれか１つに記載のインサート。
【０１０９】
Ａ１２.７.  前記複数の角部の各々は、丸みを帯びた角部である、項Ａ１２．６に記載のインサート。
【０１１０】
Ａ１３.  前記インサートは、前記サンドイッチパネル内に取り付けられる際に回転させられるように構成されている、項Ａ１〜項Ａ１２．７のいずれか１つに記載のインサート。
【０１１１】
Ａ１３.１.  前記インサートは、前記パネル係合構造部の少なくとも一部が、前記コアと前記第１の外板及び前記第２の外板のうちの一方との間の位置まで回転するように、前記サンドイッチパネルに対して回転させられる構成とされている、項Ａ１３に記載のインサート。
【０１１２】
Ａ１４.  前記インサートは、接着剤を用いなくとも、前記サンドイッチパネル内の所定位置に自己保持するように構成されている、項Ａ１〜Ａ１３．１のいずれか１つに記載のインサート。
【０１１３】
Ａ１５.  前記インサートの前記回転防止部は、前記サンドイッチパネル内での前記インサートの回転を実質的に防止するように構成されたリテイナーを含む、項Ａ１〜Ａ１４のいずれか１つに記載のインサート。
【０１１４】
Ａ１５.１.  前記リテイナーは、前記インサートに対して取り付けられた際に、前記サンドイッチパネルの前記第１の外板又は前記第２の外板と実質的に面一となるように構成されている、項Ａ１５に記載のインサート。
【０１１５】
Ａ１５.２.  前記リテイナーは、前記リテイナーが前記インサートに対して取り付けられた際に、前記サンドイッチパネルの前記コアの少なくとも１つの露出部分を覆うように構成されている、項Ａ１５〜Ａ１５．１のいずれか１つに記載のインサート。
【０１１６】
Ａ１５.３.  前記リテイナーは、前記リテイナーが前記インサートに対して取り付けられた際に前記インサートの前記穴と実質的に同心状となる貫通孔を含み、前記貫通孔は、前記穴と略等しい直径を有する、項Ａ１５〜Ａ１５．２のいずれか１つに記載のインサート。
【０１１７】
Ａ１５.４.  前記リテイナーの前記貫通孔は、前記二次的部材が挿通されるように構成されている、項Ａ１５．３に記載のインサート。
【０１１８】
Ａ１５.５.  前記リテイナーは、実質的に平らな面、及び、前記実質的に平らな面から延びる少なくとも１つの突出タブを含み、前記実質的に平らな面は、前記インサートのパネル係合構造部と係合するように構成されており、前記少なくとも１つの突出タブは、前記サンドイッチパネルの前記コア、前記第１の外板、及び前記第２の外板のうちの１つ又は複数と係合するように構成されている、項Ａ１５〜Ａ１５．４のいずれか１つに記載のインサート。
【０１１９】
Ａ１５.６.  前記リテイナーは、前記インサートの前記パネル係合構造部と同じ全体形状を有する、項Ａ１５〜Ａ１５．５のいずれか１つに記載のインサート。
【０１２０】
Ａ１５.７.  前記リテイナーは、前記インサートに対して取り付けられた際に、前記インサートの前記パネル係合構造部に対して回転させられる、項Ａ１５〜Ａ１５．６のいずれか１つに記載のインサート。
【０１２１】
Ａ１５.８.  前記リテイナーは、前記インサートとは別体である、項Ａ１５〜Ａ１５．７のいずれか１つに記載のインサート。
【０１２２】
Ａ１６.  前記インサートは、前記二次的部材として、ピン、ボルト、リベット、ねじ、継ぎ手、隔離絶縁器、アングル材、ワイヤ、ケーブル、第２のインサート、及び、ワイヤ束のうちの１つ又は複数が、前記穴に挿入されるように構成されている、項Ａ１〜Ａ１５．８のいずれか１つに記載のインサート。
【０１２３】
Ａ１７.  前記回転防止部は、前記サンドイッチパネルに対する、前記穴の長軸を中心とする前記インサートの回転を阻止するように構成されている、項Ａ１〜Ａ１６のいずれか１つに記載のインサート。
【０１２４】
Ａ１７.１.  前記保持部は、前記インサートの前記パネル係合構造部に隣接して配置されるとともに前記サンドイッチパネルの前記第１の外板及び前記第２の外板のうちの１つ又は複数と係合するように構成された複数の粗ねじ部を含む、項Ａ１〜Ａ１７のいずれか１つに記載のインサート。
【０１２５】
Ａ１７.２.  前記インサートから延びるブレード部をさらに含み、前記ブレード部は、前記サンドイッチパネルの前記第１の外板及び前記第２の外板のうちの１つ又は複数に形成されたスリット及び押し下げ部のうちの１つ又は複数と係合するように構成されている、項Ａ１〜Ａ１７．１のいずれか１つに記載のインサート。
【０１２６】
Ａ１７.３.  前記回転防止部は、前記サンドイッチパネルの前記第１の外板及び前記第２の外板のうちの１つ又は複数に形成されたスリットと係合するように構成されている、項Ａ１〜Ａ１７．２のいずれか１つに記載のインサート。
【０１２７】
Ａ１８.  前記サンドイッチパネル内に前記インサートを取り付けた後に、前記本体と前記サンドイッチパネルの前記コアとの間に形成された少なくとも１つの空間に接着剤を注入できるように構成された少なくとも１つのベント穴をさらに含む、項Ａ１〜Ａ１７．３のいずれか１つに記載のインサート。
【０１２８】
Ａ１９.  前記パネル係合構造部と一体成形された剥離用フランジをさらに含み、前記剥離用フランジは、前記サンドイッチパネル内に前記インサートを取り付けた後に、前記パネル係合構造部から剥がすことによって取り外すことができる、項Ａ１〜Ａ１８のいずれか１つに記載のインサート。
【０１２９】
Ａ２０.  前記孔は、前記第１の外板から前記第２の外板に向かって、前記サンドイッチパネル内の途中まで延びる止まり孔である、項Ａ１〜Ａ１９のいずれか１つに記載のインサート。
【０１３０】
Ａ２０.１.  前記孔は、前記第２の外板から前記第１の外板に向かって、前記サンドイッチパネル内の途中まで延びる止まり孔である、項Ａ１〜Ａ２０のいずれか１つに記載のインサート。
【０１３１】
Ａ２１.  前記孔は、前記第１の外板から前記第２の外板まで、前記サンドイッチパネル全体に延びる貫通孔であり、前記サンドイッチパネル内に取り付けられた前記インサートの前記穴に前記二次的部材が挿入された際に、前記二次的部材は、前記サンドイッチパネルの前記第１の外板及び前記第２の外板の両方から延出しうる、項Ａ１〜Ａ２０．１のいずれか１つに記載のインサート。
【０１３２】
Ａ２２.  前記保持部は、前記サンドイッチパネル内に前記インサートを取り付ける前に、前記インサートにスナップ係合されるように構成されたスナップリングを含む、項Ａ１〜Ａ２１のいずれか１つに記載のインサート。
【０１３３】
Ａ２２.１.  前記回転防止部は、前記インサートにスナップ係合されるように構成されたスナップリングを含む、項Ａ１〜Ａ２２のいずれか１つに記載のインサート。
【０１３４】
Ａ２２.２.  前記スナップリングは、前記サンドイッチパネル内に前記インサートを取り付ける前に、前記インサートにスナップ係合されるように構成されている、項Ａ２２．１に記載のインサート。
【０１３５】
Ａ２２.３.  前記スナップリングは、前記スナップリングが前記孔にスナップ係合される際に、広がるとともに、前記第１の外板及び前記第２の外板のうちの１つ又は複数と係合するように構成されている、項Ａ２２〜Ａ２２．２のいずれか１つに記載のインサート。
【０１３６】
Ａ２２.４.  前記スナップリングは、スナップリング本体から軸方向に離間する方向に延びる少なくとも１つのクリートを含み、前記少なくとも１つのクリートは、前記スナップリング及び前記インサートが前記サンドイッチパネル内に取り付けられる際に、広げられて、前記サンドイッチパネルの前記第１の外板及び前記第２の外板のうちの１つ又は複数と係合するように構成されている、項Ａ２２〜Ａ２２．３のいずれか１つに記載のインサート。
【０１３７】
Ａ２２.５.  前記スナップリングは、スナップリング本体から径方向外方に延びる少なくとも１つの回転止めを含み、前記少なくとも１つの回転止めは、前記スナップリングに対する前記インサートの回転を実質的に防止するように構成されている、項Ａ２２〜Ａ２２．４のいずれか１つに記載のインサート。
【０１３８】
Ａ２３.  前記インサートの前記本体は、略円筒形である、項Ａ１〜Ａ２２．５のいずれか１つに記載のインサート。
【０１３９】
Ａ２４.  前記パネル係合構造部の最大寸法は、前記穴の穴径より大きく、任意には、前記パネル係合構造部の前記最大寸法は、前記インサートの前記穴の前記穴径よりも、少なくとも２０％大きい、少なくとも２５％大きい、少なくとも３０％大きい、少なくとも３５％大きい、少なくとも４０％大きい、少なくとも５０％大きい、少なくとも６０％大きい、少なくとも７５％大きい、少なくとも８５％大きい、少なくとも１００％大きい、少なくとも１５０％大きい、少なくとも２００％大きい、及び／又は、少なくとも３００％大きい、項Ａ１〜Ａ２３のいずれか１つに記載のインサート。
【０１４０】
Ａ２５.  前記パネル係合構造部の最大寸法は、前記インサートの前記本体の本体径より大きく、任意には、前記パネル係合構造部の前記最大寸法は、前記インサートの前記本体の前記本体径よりも、少なくとも２０％大きい、少なくとも２５％大きい、少なくとも３０％大きい、少なくとも３５％大きい、少なくとも４０％大きい、少なくとも５０％大きい、少なくとも６０％大きい、少なくとも７５％大きい、少なくとも８５％大きい、少なくとも１００％大きい、少なくとも１５０％大きい、少なくとも２００％大きい、及び／又は、少なくとも３００％大きい、項Ａ１〜Ａ２４のいずれか１つに記載のインサート。
【０１４１】
Ａ２６.  前記インサートの前記穴の穴径は、前記穴の長さに沿って実質的に一定である、項Ａ１〜Ａ２５のいずれか１つに記載のインサート。
【０１４２】
Ａ２７.  前記インサートの前記本体の本体径は、前記本体の長さに沿って実質的に一定である、項Ａ１〜Ａ２６のいずれか１つに記載のインサート。
【０１４３】
Ａ２８.  前記インサートの前記本体の本体径は、前記本体の長さに沿って変化している、項Ａ１〜Ａ２６のいずれか１つに記載のインサート。
【０１４４】
Ａ２９.  前記保持部は、前記インサートが前記サンドイッチパネル内に取り付けられた際に、前記サンドイッチパネルの前記コア、前記第１の外板、及び前記第２の外板のうちの１つ又は複数内に広がるように構成された拡張部を含む、項Ａ１〜Ａ２８のいずれか１つに記載のインサート。
【０１４５】
Ａ３０.  前記保持部は、前記サンドイッチパネル内に前記インサートを保持するように構成されたインサート受けベースを含む、項Ａ１〜Ａ２９のいずれか１つに記載のインサート。
【０１４６】
Ｂ１.  項Ａ１〜Ａ３０のいずれか１つに記載の少なくとも１つのインサートが挿入されるように構成されたインサート受けベースであって、
サンドイッチパネルの第１の外板と第２の外板との間に挟まれた前記サンドイッチパネルのコアと係合するように構成された外側ベース面と、
前記外側ベース面の反対側の面であって、前記少なくとも１つのインサートが挿入されるように構成された内部キャビティを規定する内側ベース面と、を含み、
前記インサート受けベースは、前記内部キャビティ内に前記少なくとも１つのインサートを保持するように構成されており、前記インサート受けベースは、前記サンドイッチパネルの孔内に位置するように構成されており、前記孔は、前記第１の外板及び前記第２の外板のうちの少なくとも一方を通って前記コア内に延びている、インサート受けベース。
【０１４７】
Ｂ２.  前記インサート受けベースは、複数の異なる種類のインサートが挿入されるように構成されている、項Ｂ１に記載のインサート受けベース。
【０１４８】
Ｂ３.  前記少なくとも１つのインサートは、前記インサート受けベースから選択的に取り外すことができる、項Ｂ１〜Ｂ２のいずれか１つに記載のインサート受けベース。
【０１４９】
Ｂ４.  前記少なくとも１つのインサートは、第１のインサート及び第２のインサートを含み、前記第１のインサートと前記第２のインサートは、前記インサート受けベースの前記内部キャビティ内において、長手方向に、互いに並べられており、前記インサート受けベースは、前記第１のインサート及び前記第２のインサートをさらに含む、項Ｂ１〜Ｂ３のいずれか１つに記載のインサート受けベース。
【０１５０】
Ｂ５.  前記第１のインサートと前記第２のインサートとは、同じ種類のインサートである、項Ｂ４に記載のインサート受けベース。
【０１５１】
Ｂ６.  前記第１のインサートと前記第２のインサートとは、異なる種類のインサートである、項Ｂ４に記載のインサート受けベース。
【０１５２】
Ｂ７.  前記インサート受けベースは、前記少なくとも１つのインサートを前記内部キャビティ内に保持するように構成されたリップ部を含む、項Ｂ１〜Ｂ６のいずれか１つに記載のインサート受けベース。
【０１５３】
Ｂ８.  前記サンドイッチパネルの前記第１の外板と係合するように構成された第１外板係合構造部をさらに含む、項Ｂ１〜Ｂ７のいずれか１つに記載のインサート受けベース。
【０１５４】
Ｂ９.  前記サンドイッチパネルの前記第２の外板と係合するように構成された第２外板係合構造部をさらに含む、項Ｂ１〜Ｂ８のいずれか１つに記載のインサート受けベース。
【０１５５】
Ｂ１０.  前記インサート受けベースの少なくとも一部は、前記少なくとも１つのインサートが前記内部キャビティ内に取り付けられた際に、広がるように構成されている、項Ｂ１〜Ｂ９のいずれか１つに記載のインサート受けベース。
【０１５６】
Ｂ１０.１.  前記内側ベース面の一部及び前記外側ベース面の一部によって少なくとも一部が規定されたアンカー壁をさらに含み、前記アンカー壁の少なくとも一部は、前記少なくとも１つのインサートが前記内部キャビティ内に取り付けられた際に、前記内部キャビティから離間する方向に広がるように構成されている、項Ｂ１０に記載のインサート受けベース。
【０１５７】
Ｂ１０.２.  前記アンカー壁は、前記アンカー壁が前記内部キャビティの長軸に実質的に平行である初期位置から、前記アンカー壁が前記内部キャビティの前記長軸に対して、少なくとも５°、少なくとも１０°、少なくとも１５°、少なくとも２０°、少なくとも２５°、少なくとも３０°、少なくとも３５°、少なくとも４０°、少なくとも４５°、少なくとも５０°、少なくとも５５°、及び／又は、少なくとも６０°の角度を形成する拡張位置まで広がるように構成されている、項Ｂ１０．１に記載のインサート受けベース。
【０１５８】
Ｂ１０.３.  前記アンカー壁は、前記内部キャビティの周縁から、少なくとも０．２５ｍｍ、０．５ｍｍ、０．７５ｍｍ、１ｍｍ、１．５ｍｍ、２ｍｍ、３ｍｍ、４ｍｍ、５ｍｍ、６ｍｍ、７ｍｍ、８ｍｍ、９ｍｍ、及び／又は、少なくとも１０ｍｍの距離、突出するように構成されている、項Ｂ１０．１〜Ｂ１０．２のいずれか１つに記載のインサート受けベース。
【０１５９】
Ｂ１１.  前記インサート受けベースは、前記少なくとも１つのインサートが前記内部キャビティ内に取り付けられると、前記インサート受けベースに対する前記少なくとも１つのインサートの回転を実質的に防止するように構成されている、項Ｂ１〜Ｂ１０．３のいずれか１つに記載のインサート受けベース。
【０１６０】
Ｂ１２.  前記インサート受けベースは、前記サンドイッチパネルの前記孔内に自己保持するように構成されている、項Ｂ１〜Ｂ１１のいずれか１つに記載のインサート受けベース。
【０１６１】
Ｂ１３.  前記インサート受けベースは、第１部分及び第２部分を含み、前記第１部分は、前記インサート受けベースが前記サンドイッチパネル内に取り付けられた際に、前記第１の外板に隣接して位置し、前記第２部分は、前記インサート受けベースが前記サンドイッチパネル内に取り付けられた際に、前記第２の外板に隣接して位置し、前記第１部分は、第１のインサートが挿入されるように構成されており、前記第２部分は、第２のインサートが挿入されるように構成されている、項Ｂ１〜Ｂ１２のいずれか１つに記載のインサート受けベース。
【０１６２】
Ｂ１４.  前記インサート受けベースの前記第１部分は、前記第１のインサートが前記インサート受けベースに挿入された際に、前記内部キャビティから径方向外方に離間するように広がるよう構成されたアンカー壁を含む、項Ｂ１３に記載のインサート受けベース。
【０１６３】
Ｂ１５.  前記インサート受けベースの前記第２部分は、前記第２のインサートが前記インサート受けベースに挿入された際に実質的に変化しない、項Ｂ１４に記載のインサート受けベース。
【０１６４】
Ｂ１６.  前記サンドイッチパネルにおける前記第１の外板の第１内側面と前記コアとの間に位置するように構成されたリップ部をさらに含み、前記リップ部は、前記サンドイッチパネルの前記孔からの前記インサート受けベースの抜けを阻止するように構成されている、項Ｂ１〜Ｂ１５のいずれか１つに記載のインサート受けベース。
【０１６５】
Ｂ１７.  前記サンドイッチパネルにおける前記第２の外板の第２内側面と前記コアとの間に位置するように構成されたリップ部をさらに含み、前記リップ部は、前記サンドイッチパネルの前記孔からの前記インサート受けベースの抜けを阻止するように構成されている、項Ｂ１〜Ｂ１５のいずれか１つに記載のインサート受けベース。
【０１６６】
Ｃ１.  第１内側面、及び、前記第１内側面の反対側の第１外側面を有する第１の外板と、
第２内側面、及び、前記第２内側面の反対側の第２外側面を有する、前記第１の外板の反対側の第２の外板とを含み、前記第１外側面と前記第２外側面は互いに反対側を向いており、
前記第１の外板の前記第１内側面と前記第２の外板の前記第２内側面との間に挟まれたコアと、
前記第１の外板及び前記第２の外板のうちの少なくとも一方に形成され、前記コア内に延びる少なくとも１つの孔と、
前記サンドイッチパネルの前記少なくとも１つの孔内に取り付けられた、項Ａ１〜Ａ３０のいずれか１つに記載の少なくとも１つのインサートと、をさらに含む、サンドイッチパネル。
【０１６７】
Ｃ１.１.  前記少なくとも１つの孔は、前記第１の外板に形成され、前記第２の外板に向かって前記コア内に延びている、項Ｃ１に記載のサンドイッチパネル。
【０１６８】
Ｃ１.２.  前記少なくとも１つの孔は、前記第２の外板に形成され、前記第１の外板に向かって前記コア内に延びている、項Ｃ１又はＣ１．１に記載のサンドイッチパネル。
【０１６９】
Ｃ２.  前記少なくとも１つのインサートは、複数のインサートであり、前記複数のインサートの各々は、項Ａ１〜Ａ３０のいずれかに記載のインサートであり、前記複数のインサートの各々は、前記少なくとも１つの孔のうちの１つに取り付けられている、項Ｃ１〜Ｃ１．２のいずれか１つに記載のサンドイッチパネル。
【０１７０】
Ｃ３.  項Ｂ１〜Ｂ１７のいずれか１つに記載のインサート受けベースをさらに含み、前記少なくとも１つのインサートは、前記インサート受けベース内に配置されている、項Ｃ１〜Ｃ２のいずれか１つに記載のサンドイッチパネル。
【０１７１】
Ｃ４.  項Ｂ１〜Ｂ１７のいずれか１つに記載の複数のインサート受けベースをさらに含み、前記少なくとも１つのインサートの各々は、前記複数のインサート受けベースのうちの１つに配置されている、項Ｃ１〜Ｃ３のいずれか１つに記載のサンドイッチパネル。
【０１７２】
Ｃ５.  前記コアは、発泡体、アルミニウム、ノーメックス[登録商標]（アラミド）、炭素、コレックス（Korex）、ケブラー[登録商標]、ガラス繊維、ポリエーテルスルホン、ポリ塩化ビニル、ポリウレタン、ポリエチレンフォーム、ポリスチレンフォーム、バルサ材、シンタクチックフォーム、ハニカム構造体、ポリマーハニカム、熱可塑性ハニカム、ステンレス鋼、ポリカーボネート、及び、ポリプロピレンのうちの１つ又は複数によって構成されている、項Ｃ１〜Ｃ４のいずれか１つに記載のサンドイッチパネル。
【０１７３】
Ｃ５.１.  前記第１の外板は、ガラス繊維強化ポリマーの積層体、炭素繊維強化ポリマーの積層体、熱硬化性ポリマー、エポキシ、金属薄板、炭素、アラミド、アルミニウム、鋼、合板、バルサ、チーク材、及び、硬材のうちの１つ又は複数によって構成されている、項Ｃ１〜Ｃ５のいずれか１つに記載のサンドイッチパネル。
【０１７４】
Ｃ５.２.  前記第２の外板は、ガラス繊維強化ポリマーの積層体、炭素繊維強化ポリマーの積層体、熱硬化性ポリマー、エポキシ、金属薄板、炭素、アラミド、アルミニウム、鋼、合板、バルサ、チーク材、及び、硬材のうちの１つ又は複数によって構成されている、項Ｃ１〜Ｃ５．１のいずれか１つに記載のサンドイッチパネル。
【０１７５】
Ｃ６.  前記サンドイッチパネルは、複合パネルを含む、項Ｃ１〜Ｃ５．２のいずれか１つに記載のサンドイッチパネル。
【０１７６】
Ｃ７.  前記コアは、ハニカムコアを含む、項Ｃ１〜Ｃ６のいずれか１つに記載のサンドイッチパネル。
【０１７７】
Ｃ７.１.  前記コアは、独立気泡構造を含む、項Ｃ１〜Ｃ７のいずれか１つに記載のサンドイッチパネル。
【０１７８】
Ｃ７.２.  前記コアは、連続気泡構造を含む、項Ｃ１〜Ｃ７．１のいずれか１つに記載のサンドイッチパネル。
【０１７９】
Ｃ８.  前記少なくとも１つのインサートの一部は、前記第１の外板と前記コアとの間に位置している、項Ｃ１〜Ｃ７．２のいずれか１つに記載のサンドイッチパネル。
【０１８０】
Ｃ９.  前記少なくとも１つのインサートの前記パネル係合構造部の少なくとも一部が、前記第１の外板と前記コアとの間に位置している、項Ｃ１〜Ｃ８のいずれか１つに記載のサンドイッチパネル。
【０１８１】
Ｃ９.１.  前記少なくとも１つのインサートの前記パネル係合構造部の少なくとも一部が、前記第１の外板の前記第１内側面に隣接して位置している、項Ｃ８〜Ｃ９のいずれか１つに記載のサンドイッチパネル。
【０１８２】
Ｃ９.２.  前記少なくとも１つのインサートの前記パネル係合構造部の少なくとも一部が、前記第１の外板の前記第１内側面と係合している、項Ｃ９．１に記載のサンドイッチパネル。
【０１８３】
Ｃ９.３.  前記少なくとも１つのインサートの一部が、前記第２の外板と前記コアとの間に位置している、項Ｃ１〜Ｃ９．２のいずれか１つに記載のサンドイッチパネル。
【０１８４】
Ｃ９.４.  前記少なくとも１つのインサートの前記パネル係合構造部の少なくとも一部が、前記第２の外板と前記コアとの間に位置している、項Ｃ１〜Ｃ９．３のいずれか１つに記載のサンドイッチパネル。
【０１８５】
Ｃ９.５.  前記少なくとも１つのインサートの前記パネル係合構造部の少なくとも一部が、前記第２の外板の前記第２内側面に隣接して位置している、項Ｃ９．３〜Ｃ９．４のいずれか１つに記載のサンドイッチパネル。
【０１８６】
Ｃ９.６.  前記少なくとも１つのインサートの前記パネル係合構造部の少なくとも一部が、前記第２の外板の前記第２内側面と係合している、項Ｃ９．５に記載のサンドイッチパネル。
【０１８７】
Ｃ１０.  前記少なくとも１つのインサートは、非貫通インサートであり、前記遠位端部は、前記サンドイッチパネルの前記コアに埋設されている、項Ｃ１〜Ｃ９．６のいずれか１つに記載のサンドイッチパネル。
【０１８８】
Ｃ１０.１.  前記少なくとも１つのインサートは、二連の非貫通インサートであり、前記少なくとも１つの孔は、前記第１の外板、及び、前記コアの一部に形成された第１の孔であり、前記少なくとも１つの孔は、前記第２の外板、及び、前記コアの一部に形成された第２の孔であり、前記第１の孔は、前記第２の孔と実質的に同心状であり、前記二連の非貫通インサートは、第１のインサート及び第２のインサートを含み、前記第１のインサートは前記第１の孔内に取り付けられており、前記第２のインサートは前記第２の孔内に取り付けられている、項Ｃ１〜Ｃ１０のいずれか１つに記載のサンドイッチパネル。
【０１８９】
Ｃ１１.  前記少なくとも１つの孔は、前記第１の外板及び前記第２の外板を貫通して延びており、前記少なくとも１つのインサートは、貫通型のインサートであり、前記遠位端部は、前記サンドイッチパネルの前記第２の外板に隣接して位置している、項Ｃ１〜Ｃ１０．１のいずれか１つに記載のサンドイッチパネル。
【０１９０】
Ｃ１１.１.  前記少なくとも１つの孔は、前記第１の外板及び前記第２の外板を貫通して延びており、前記少なくとも１つのインサートは、貫通型のインサートであり、前記遠位端部は、前記サンドイッチパネルの前記第１の外板に隣接して位置している、項Ｃ１〜Ｃ１１のいずれか１つに記載のサンドイッチパネル。
【０１９１】
Ｃ１２.  前記少なくとも１つのインサートの前記パネル係合構造部の少なくとも一部は、前記第１の外板の前記第１外側面と実質的に面一である、項Ｃ１〜Ｃ１１．１のいずれか１つに記載のサンドイッチパネル。
【０１９２】
Ｃ１２.１.  前記少なくとも１つのインサートの前記パネル係合構造部の少なくとも一部は、前記第２の外板の前記第２外側面と実質的に面一である、項Ｃ１〜Ｃ１２のいずれか１つに記載のサンドイッチパネル。
【０１９３】
Ｃ１３.  前記少なくとも１つのインサートの前記遠位端部の少なくとも一部は、前記第２の外板の前記第２外側面と実質的に面一である、項Ｃ１〜Ｃ１２．１のいずれか１つに記載のサンドイッチパネル。
【０１９４】
Ｃ１３.１.  前記少なくとも１つのインサートの前記遠位端部の少なくとも一部は、前記第１の外板の前記第１外側面と実質的に面一である、項Ｃ１〜Ｃ１３のいずれか１つに記載のサンドイッチパネル。
【０１９５】
Ｃ１４.  前記少なくとも１つの孔は、複数の孔であり、前記複数の孔の各々は、前記第１の外板及び前記第２の外板のうちの少なくとも一方から前記コア内に延びており、前記少なくとも１つのインサートは、複数のインサートであり、前記複数のインサートの各々は、項Ａ１〜Ａ３０のいずれか１つに記載のインサートであり、前記複数のインサートのうちの少なくとも１つは、前記複数の孔のうちの１つに取り付けられている、項Ｃ１〜Ｃ１３．１のいずれか１つに記載のサンドイッチパネル。
【０１９６】
Ｃ１５.  前記少なくとも１つの孔の各々は、前記コアの少なくとも一部に形成された実質的に円筒形の孔である、項Ｃ１〜Ｃ１４のいずれか１つに記載のサンドイッチパネル。
【０１９７】
Ｃ１６.  前記少なくとも１つの孔は、前記第１の外板に形成された切り欠きを含む、項Ｃ１〜Ｃ１５のいずれか１つに記載のサンドイッチパネル。
【０１９８】
Ｃ１６.１.  前記少なくとも１つの孔は、前記第２の外板に形成された切り欠きを含む、項Ｃ１〜Ｃ１６のいずれか１つに記載のサンドイッチパネル。
【０１９９】
Ｃ１７.  前記切り欠きは、少なくとも一部が、前記サンドイッチパネルの前記コア内に延びている、項Ｃ１６又はＣ１６．１に記載のサンドイッチパネル。
【０２００】
Ｃ１８.  前記切り欠きは、実質的に三角形である、項Ｃ１６〜Ｃ１７のいずれか１つに記載のサンドイッチパネル。
【０２０１】
Ｃ１９.  前記切り欠きの面積は、前記孔の面積よりも大きい、項Ｃ１６〜Ｃ１８のいずれか１つに記載のサンドイッチパネル。
【０２０２】
Ｃ２０.  前記第１の外板に切り込まれた少なくとも１つのスリットをさらに含む、項Ｃ１〜Ｃ１９のいずれか１つに記載のサンドイッチパネル。
【０２０３】
Ｃ２１.  前記第２の外板に切り込まれた少なくとも１つのスリットをさらに含む、項Ｃ１〜Ｃ２０のいずれか１つに記載のサンドイッチパネル。
【０２０４】
Ｃ２２.  前記少なくとも１つのスリットは、前記少なくとも１つの孔から径方向に延びている、項Ｃ２０又はＣ２１に記載のサンドイッチパネル。
【０２０５】
Ｃ２３.  前記少なくとも１つの孔は、複数の孔であり、前記少なくとも１つのスリットは、前記複数の孔の各々から径方向に延びる、少なくとも１個、少なくとも２個、少なくとも４個、少なくとも８個、少なくとも１２個、少なくとも１６個、及び／又は、少なくとも２０個のスリットである、項Ｃ２０〜Ｃ２２のいずれか１つに記載のサンドイッチパネル。
【０２０６】
Ｃ２４.  前記少なくとも１つのスリットは、前記複数の孔の各々から径方向に延びる少なくとも２個のスリットであり、前記少なくとも２個のスリットは、前記複数の孔のそれぞれの周まわりに実質的に等間隔で配置されている、項Ｃ２３に記載のサンドイッチパネル。
【０２０７】
Ｃ２５.  前記少なくとも１つのスリットは、前記複数の孔の各々から径方向に延びる少なくとも２個のスリットであり、前記少なくとも２個のスリットは、ペアにして配置されている、項Ｃ２３に記載のサンドイッチパネル。
【０２０８】
Ｃ２６.  前記第１の外板における、前記少なくとも１つのスリットに隣接する部分は、押し下げられている、項Ｃ２０〜Ｃ２５のいずれか１つに記載のサンドイッチパネル。
【０２０９】
Ｃ２７.  前記サンドイッチパネルの前記コアと、前記少なくとも１つのインサートの前記本体との間に入れられたポッティング剤、即時硬化性の化合物、及び、紫外線硬化性化合物のうちの１つ又は複数をさらに含む、項Ｃ１〜Ｃ２６のいずれか１つに記載のサンドイッチパネル。
【０２１０】
Ｃ２８.  前記少なくとも１つのインサートを前記少なくとも１つの孔に保持するように構成された少なくとも１つのリテイナーをさらに含む、項Ｃ１〜Ｃ２７のいずれか１つに記載のサンドイッチパネル。
【０２１１】
Ｄ１.  項Ｃ１〜Ｃ２８のいずれか１つに記載の少なくとも１つのサンドイッチパネルを含む装置。
【０２１２】
Ｄ２.  前記装置は、航空機、衛星、アンテナ、輸送車両、輸送コンテナ、自動車、及び、シェルターのうちの１つ又は複数を含む、項Ｄ１に記載の装置。
【０２１３】
Ｄ３.  前記サンドイッチパネルは、前記装置における、床、調理室、内部主構造、二次構造、内壁、荷物入れ、頭上荷物棚、トイレ、カプセルパネル、ノーズコーン、計器エンクロージャ、隔壁パネル、カーテンウォール、パーティション、及び、分割パネルのうちの１つ又は複数の一部を形成している、項Ｄ１〜Ｄ２のいずれか１つに記載の装置。
【０２１４】
Ｅ１.  サンドイッチパネルに形成された孔にインサートを取り付ける方法であって、
項Ａ１〜Ａ３０のいずれか１つに記載の少なくとも１つのインサートを用意し、
サンドイッチパネルに少なくとも１つの孔を形成し、前記サンドイッチパネルは、第１内側面、及び、これと反対側の第１外側面を有する第１の外板と、第２内側面、及び、これと反対側の第２外側面を有する、前記第１の外板の反対側の第２の外板とを有し、前記第１外側面と第２外側面とは互いに反対側を向いており、前記第１の外板の第１内側面と前記第２の外板の第２内側面との間に挟まれたコアをさらに有し、前記少なくとも１つの孔を形成するに際し、前記第１の外板及び前記第２の外板のうちの少なくとも一方を貫通して前記コア内に延びるように少なくとも１つの孔を形成し、
前記少なくとも１つの孔の各々に前記少なくとも１つのインサートを取り付け、その際に、前記インサートの前記パネル係合構造部が前記サンドイッチパネルと係合し、前記インサートの前記本体が前記サンドイッチパネルの前記コア内の各孔内に位置するように取り付ける、方法。
【０２１５】
Ｅ１.１.  前記少なくとも１つのインサートの前記パネル係合構造部は、前記サンドイッチパネルの前記第１の外板と係合する、項Ｅ１に記載の方法。
【０２１６】
Ｅ１.２.  前記少なくとも１つのインサートの前記パネル係合構造部は、前記サンドイッチパネルの前記第２の外板と係合する、項Ｅ１又はＥ１．１に記載の方法。
【０２１７】
Ｅ２.  前記少なくとも１つの孔を形成するに際し、前記サンドイッチパネルの前記コアの厚みの一部のみに延びる少なくとも１つの止まり孔を形成する、項Ｅ１〜Ｅ１．２のいずれか１つに記載の方法。
【０２１８】
Ｅ３.  前記少なくとも１つの孔を形成するに際し、前記サンドイッチパネルに複数の止まり孔を形成する、項Ｅ２に記載の方法。
【０２１９】
Ｅ４.  前記少なくとも１つの孔を形成するに際し、前記第１の外板に第１の止まり孔を形成する一方、前記第２の外板に第２の止まり孔を形成し、前記第１の止まり孔と前記第２の止まり孔は実質的に同心状である、項Ｅ３に記載の方法。
【０２２０】
Ｅ４.１.  前記少なくとも１つのインサートを取り付けるに際し、前記第１の止まり孔に第１のインサートを取り付け、前記第２の止まり孔に第２のインサートを取り付ける、項Ｅ４に記載の方法。
【０２２１】
Ｅ４.２.  前記第１のインサートは、前記第２のインサートとは異なるタイプのインサートである、項Ｅ４．１に記載の方法。
【０２２２】
Ｅ５.  前記少なくとも１つの孔を形成するに際し、前記サンドイッチパネルの前記第１の外板、前記第２の外板、及び、前記コアの厚みを貫通する少なくとも１つの貫通孔を形成する、項Ｅ１〜Ｅ４．２のいずれか１つに記載の方法。
【０２２３】
Ｅ６.  前記少なくとも１つの孔の形成は、ドリリング、ミリング、及び、打ち抜きのうちの少なくとも１つによって行われる、項Ｅ１〜Ｅ５のいずれか１つに記載の方法。
【０２２４】
Ｅ７.  前記少なくとも１つの孔を形成するに際し、前記サンドイッチパネルの前記コアの厚みの少なくとも１部に延びる少なくとも１つの円形孔を形成する、項Ｅ１〜Ｅ６のいずれか１つに記載の方法。
【０２２５】
Ｅ８.  前記第１の外板における、前記少なくとも１つの孔に隣接する部分に対してミリングを行うことによって、当該隣接する孔よりも面積の大きい切り欠きを形成することをさらに含む、項Ｅ１〜Ｅ７のいずれか１つに記載の方法。
【０２２６】
Ｅ９.  前記第２の外板における、前記少なくとも１つの孔に隣接する部分に対してミリングを行うことによって、当該隣接する孔よりも面積の大きい切り欠きを形成することをさらに含む、項Ｅ１〜Ｅ８のいずれか１つに記載の方法。
【０２２７】
Ｅ１０.  前記切り欠きは実質的に三角形である、項Ｅ８又はＥ９に記載の方法。
【０２２８】
Ｅ１１.  前記少なくとも１つの孔を形成するに際し、複数の孔を形成し、前記少なくとも１つのインサートを取り付けるに際し、複数のインサートを取り付け、前記複数のインサートの各々は、前記複数の孔のうちの１つに取り付けられる、項Ｅ１〜Ｅ１０のいずれか１つに記載の方法。
【０２２９】
Ｅ１２.  前記少なくとも１つのインサートを取り付けるに際し、前記少なくとも１つのインサートを前記孔の長軸を中心として回転させ、任意には、前記インサートを、少なくとも５°、少なくとも１０°、少なくとも２０°、少なくとも３０°、少なくとも４０°、少なくとも５０°、少なくとも６０°、少なくとも７０°、少なくとも８０°、少なくとも９０°、少なくとも１２０°、少なくとも１５０°、及び／又は、少なくとも１８０°回転させる、項Ｅ１〜Ｅ１１のいずれか１つに記載の方法。
【０２３０】
Ｅ１３.  前記少なくとも１つのインサートを取り付けるに際し、前記孔の隣接位置において、前記第１の外板と前記コアとの接合を破断する、項Ｅ１〜Ｅ１２のいずれか１つに記載の方法。
【０２３１】
Ｅ１４.  前記少なくとも１つのインサートを取り付けるに際し、前記孔の隣接位置において、前記第２の外板と前記コアとの接合を破断する、項Ｅ１〜Ｅ１３のいずれか１つに記載の方法。
【０２３２】
Ｅ１５.  さらに、前記少なくとも１つのインサートの各々の前記孔に、少なくとも１つの二次的部材を挿入し、前記少なくとも１つの二次的部材は、前記インサートを介して、前記サンドイッチパネルに局所的負荷を伝達するように構成されている、項Ｅ１〜Ｅ１４のいずれか１つに記載の方法。
【０２３３】
Ｅ１６.  ポッティング剤、即時硬化性の接着剤、及び、紫外線硬化性接着剤のうちの１つ又は複数を、前記孔内の、前記インサートの前記本体と前記サンドイッチパネルの前記コアとの間の空間に注入することをさらに含む、項Ｅ１〜Ｅ１５のいずれか１つに記載の方法。
【０２３４】
Ｅ１７.  前記少なくとも１つの二次的部材を挿入することは、前記ポッティング剤、前記即時硬化性の接着剤、及び、前記紫外線硬化性接着剤の前記１つ又は複数が硬化する前に行われる、項Ｅ１５又はＥ１６に記載の方法。
【０２３５】
Ｅ１８.  さらに、前記ポッティング剤、前記即時硬化性の接着剤、及び、前記紫外線硬化性接着剤の前記１つ又は複数が硬化する前に、前記少なくとも１つのインサートに負荷を付与する、項Ｅ１６又はＥ１７に記載の方法。
【０２３６】
Ｅ１９.  前記少なくとも１つのインサートを取り付けることは、ポッティング剤、即時硬化性の接着剤、又は、紫外線硬化性接着剤を用いずに行われる、項Ｅ１〜Ｅ１５のいずれか１つに記載の方法。
【０２３７】
Ｅ２０.  項Ｂ１〜Ｂ１７のいずれか１つに記載の少なくとも１つのインサート受けベースを、前記サンドイッチパネルの前記少なくとも１つの孔のそれぞれに取り付けることをさらに含み、前記少なくとも１つの孔の各々に前記少なくとも１つのインサートを取り付けるに際し、前記少なくとも１つのインサートを、前記少なくとも１つのインサート受けベースのうちの対応するインサート受けベース内に取り付ける、項Ｅ１〜Ｅ１９のいずれか１つに記載の方法。
【０２３８】
Ｅ２１.  前記少なくとも１つのインサートを、前記少なくとも１つのインサート受けベースのうちの対応するインサート受けベース内に取り付けるに際し、前記少なくとも１つのインサートを取り付けた際に、前記少なくとも１つのインサートが、前記インサート受けベースの前記内側面を押圧することによって、前記各インサート受けベースの前記外側面の少なくとも一部が、前記少なくとも１つの孔に押し込まれる、項Ｅ２０に記載の方法。
【０２３９】
Ｅ２２.  さらに、前記少なくとも１つのインサートを対応する前記インサート受けベースから取り除く、項Ｅ２０又はＥ２１に記載の方法。
【０２４０】
Ｅ２３.  さらに、前記少なくとも１つの孔のそれぞれに前記少なくとも１つのインサートを取り付けた後に、前記少なくとも１つのインサートから、１つ又は複数の一体の剥離用フランジを取り除く、項Ｅ１〜Ｅ２２のいずれか１つに記載の方法。
【０２４１】
Ｅ２４.  さらに、前記少なくとも１つのインサートにスナップリングを装着する、項Ｅ１〜Ｅ２３のいずれか１つに記載の方法。
【０２４２】
Ｅ２４.１.  さらに、前記スナップリングを、前記少なくとも１つの孔に挿入し、前記サンドイッチパネルの前記第１の外板を前記スナップリングのフランジと係合させる、項Ｅ２４に記載の方法。
【０２４３】
Ｅ２４.２.  さらに、前記スナップリングを、前記少なくとも１つの孔に挿入し、前記サンドイッチパネルの前記第２の外板を前記スナップリングのフランジと係合させる、項Ｅ２４に記載の方法。
【０２４４】
Ｅ２４.３.  さらに、前記インサートを、前記スナップリングに押し込み、前記スナップリングの少なくとも１つのクリートを、前記サンドイッチパネルの前記少なくとも１つの孔内に広げる、項Ｅ２４．１又はＥ２４．２に記載の方法。
【０２４５】
Ｅ２４.４.  さらに、前記スナップリングの一部を、前記第１の外板の前記第１内側面及び前記第２の外板の前記第２内側面のうちの１つ又は複数と係合させる、項Ｅ２４．１〜Ｅ２４．３のいずれか１つに記載の方法。
【０２４６】
Ｅ２５.  さらに、前記少なくとも１つのインサートを、前記スナップリングに対して回転させることによって、前記少なくとも１つのインサートを前記スナップリングに対してロックする、項Ｅ２４〜Ｅ２４．４のいずれか１つに記載の方法。
【０２４７】
Ｅ２６.  さらに、前記第１の外板に、前記少なくとも１つの孔から径方向に延びる少なくとも１つのスリットを形成する、項Ｅ１〜Ｅ２５のいずれか１つに記載の方法。
【０２４８】
Ｅ２７.  さらに、前記第２の外板に、前記少なくとも１つの孔から径方向に延びる少なくとも１つのスリットを形成する、項Ｅ１〜Ｅ２６のいずれか１つに記載の方法。
【０２４９】
Ｅ２８.  さらに、前記第１の外板及び前記第２の外板における、前記少なくとも１つのスリットに隣接する少なくとも一部を押し下げる、項Ｅ２６又はＥ２７に記載の方法。
【０２５０】
Ｅ２８.１.  前記第１の外板及び前記第２の外板のうちの少なくとも一方の少なくとも一部を押し下げるに際し、前記少なくとも１つのインサートの一部を挿入するための空間を形成する、項Ｅ２８に記載の方法。
【０２５１】
Ｅ２８.２.  前記孔の前記長軸を中心として前記少なくとも１つのインサートを回転させるに際し、スナップリングの回転止めが前記インサートの前記パネル係合構造部に接触するまで、前記少なくとも１つのインサートを回転させる、項Ｅ１２、及び、項Ｅ２７〜Ｅ２８．１のいずれか１つに記載の方法。
【０２５２】
Ｅ２９.  前記サンドイッチパネルに前記少なくとも１つの孔を形成すること、及び、前記少なくとも１つの孔の各々に前記少なくとも１つのインサートを取り付けることのうちの１つ又は複数は、自動化されている、項Ｅ１〜Ｅ２８．２のいずれか１つに記載の方法。
【０２５３】
Ｅ３０．  さらに、前記少なくとも１つのインサートにリテイナーを取り付け、前記リテイナーは、前記サンドイッチパネルに対する、前記少なくとも１つのインサートの動きを阻止するように構成されている、項Ｅ１〜Ｅ２９のいずれか１つに記載の方法。
【０２５４】
Ｅ３１.  前記リテイナーは、実質的に三角形である、項Ｅ３０に記載の方法。
【０２５５】
Ｅ３２.  前記リテイナーは複数のタブを含み、前記複数のタブの各々の少なくとも一部は、前記第１の外板の前記第１内側面と前記コアとの間に位置するように構成されている、項Ｅ３０又はＥ３１に記載の方法。
【０２５６】
Ｅ３３.  前記リテイナーは複数のタブを含み、前記複数のタブの各々の少なくとも一部は、前記第２の外板の前記第２内側面と前記コアとの間に位置するように構成されている、項Ｅ３０又はＥ３１に記載の方法。
【０２５７】
Ｆ１.  前記インサートの前記孔に前記二次的部材を挿入して、前記インサートを介して、前記サンドイッチパネルに前記局所的負荷を伝達するための、項Ａ１〜Ａ３０のいずれか１つに記載のインサートの使用。
【０２５８】
Ｇ１.  航空機、衛星、アンテナ、輸送車両、輸送コンテナ、自動車、及び、シェルターのうちの１つ又は複数の一部を構成するための、項Ｃ１〜Ｃ２８のいずれか１つに記載のサンドイッチパネルの使用。
【０２５９】
Ｈ１.  項Ａ１〜Ａ３０のいずれか１つに記載の前記インサートを挿入し、これをサンドイッチパネル内に配置するための、項Ｂ１〜Ｂ１７のいずれか１つに記載のインサート受けベースの使用。
【０２６０】
本明細書において、「選択的」又は「選択的に」という用語が、装置の１つもしくは複数のコンポーネント又は要素の、動作、動き、構成、又は他の働きを修飾するものである場合は、そのような特定の動作、動き、構成又は他の働きが、ユーザーが装置の態様又は１つもしくは複数のコンポーネントを操作したことの直接又は間接的な結果であることを意味する。
【０２６１】
本明細書において、「適合化されている」及び「構成されている」という用語は、要素、コンポーネント、又は他の要部が、所定の機能を行うように設計及び／又は意図されていることを意味する。従って、「適合化されている」及び「構成されている」という用語の使用は、ある要素、コンポーネント、又は他の要部が、単に所定の機能を行うことが「できる」ということを意味すると解釈されるべきではなく、当該要素、コンポーネント、及び／又は他の要部が、その機能を行うために、具体的に、選択、作製、実施、利用、プログラム、及び／又は設計されていることを意味すると解釈されるべきである。また、特定の機能を行うように適合化されたものとして記載された要素、コンポーネント、及び／又は他の要部が、これに加え、あるいはこれに代えて、当該機能を行うように構成されたものとして記載されること、及び、その逆も、本開示の範囲内である。同様に、特定の機能を行うように構成されたものとして記載された要部が、これに加え、あるいはこれに代えて、当該機能を行うように動作するものとして記載される場合もある。
【０２６２】
さらに、本開示は、以下の付記による実施形態を含む。
【０２６３】
付記１．  第１の外板と、前記第１の外板の反対側の第２の外板と、これらの間のコアとを含むサンドイッチパネルの孔内に取り付けられるように構成されたインサートであって、
前記インサートが前記サンドイッチパネル内に取り付けられた際に、前記サンドイッチパネルの前記第１の外板及び前記第２の外板のうちの一方と係合するように構成されたパネル係合構造部と、
前記パネル係合構造部の反対側にある遠位端部と、
前記パネル係合構造部と前記遠位端部との間に位置する本体であって、前記インサートが前記サンドイッチパネル内に取り付けられた際に前記サンドイッチパネルの前記コアと係合するように構成されているとともに、前記パネル係合構造部から前記遠位端部に向かって前記本体内に延びる穴が形成されている本体と、
接着剤を使用せずに前記サンドイッチパネル内に前記インサートを保持するように構成されており、前記インサートが前記サンドイッチパネル内に取り付けられた際に、少なくとも一部が前記サンドイッチパネルの前記第１の外板と前記第２の外板との間に位置するように構成された保持部と、
前記サンドイッチパネルに対する前記インサートの回転を防止するように構成された回転防止部とを含み、前記回転防止部は、前記サンドイッチパネルに対する、前記穴の長軸を中心とする前記インサートの回転を阻止するように構成されており、前記インサートは、前記穴に二次的部材が挿入されるように構成されており、前記二次的部材は、前記インサートを介して、前記サンドイッチパネルに局所的負荷を伝達するように構成されている、インサート。
【０２６４】
付記２．  前記穴は、雌ねじ部を含む、付記１に記載のインサート。
【０２６５】
付記３．  前記パネル係合構造部は、実質的に三角形である、付記１に記載のインサート。
【０２６６】
付記４．  前記サンドイッチパネルの前記第１の外板は、前記サンドイッチパネルの前記コアとは反対側を向く第１外側面、及び、前記第１外側面の反対側の、前記サンドイッチパネルの前記コアに対面する第１内側面を含み、前記インサートが前記サンドイッチパネル内に取り付けられた際に、前記パネル係合構造部の少なくとも一部は、前記第１の外板の前記第１内側面と前記コアとの間に位置する、付記１に記載のインサート。
【０２６７】
付記５．  前記サンドイッチパネルの前記第２の外板は、前記サンドイッチパネルの前記コアとは反対側を向く第２外側面、及び、前記第２外側面の反対側の、前記サンドイッチパネルの前記コアに対面する第２内側面を含み、前記インサートが前記サンドイッチパネル内に取り付けられた際に、前記パネル係合構造部の少なくとも一部は、前記第２の外板の前記第２内側面と前記コアとの間に位置する、付記１に記載のインサート。
【０２６８】
付記６．  前記パネル係合構造部の前記回転防止部は、前記パネル係合構造部の主外縁から延びる少なくとも１つの延出部を含み、前記少なくとも１つの延出部は、前記インサートが前記サンドイッチパネル内に取り付けられた際に、前記第１の外板及び前記第２の外板のうちの一方に隣接して位置するように構成されている、付記１に記載のインサート。
【０２６９】
付記７．  前記延出部は、その長さに沿って厚みが変化する楔形である、付記６に記載のインサート。
【０２７０】
付記８．  前記インサートは、前記サンドイッチパネル内に取り付けられる際に回転させられるように構成されている、付記１に記載のインサート。
【０２７１】
付記９．  前記インサートは、前記サンドイッチパネルに対して回転させられて、前記パネル係合構造部の少なくとも一部が、前記コアと前記第１の外板及び前記第２の外板のうちの一方との間の位置まで回転するように構成されている、付記８に記載のインサート。
【０２７２】
付記１０．  前記インサートの前記回転防止部は、前記サンドイッチパネル内での前記インサートの回転を実質的に防止するように構成されたリテイナーを含み、前記リテイナーは、前記リテイナーが前記インサートに対して取り付けられた際に前記インサートの前記穴と実質的に同心状となる貫通孔を含み、前記貫通孔は、前記穴と略等しい直径を有し、前記リテイナーは、前記リテイナーが前記インサートに対して取り付けられた際に、前記サンドイッチパネルの前記コアの少なくとも１つの露出部分を覆うように構成されている、付記１に記載のインサート。
【０２７３】
付記１１．  前記リテイナーは、実質的に平らな面、及び、前記実質的に平らな面から延びる少なくとも１つの突出タブを含み、前記実質的に平らな面は、前記インサートの前記パネル係合構造部と係合するように構成されており、前記少なくとも１つの突出タブは、前記サンドイッチパネルの前記コア、前記第１の外板、及び前記第２の外板のうちの１つ又は複数と係合するように構成されている、付記１０に記載のインサート。
【０２７４】
付記１２．  第１の外板、前記第１の外板の反対側の第２の外板、及び、これらの間のコアを含むサンドイッチパネルに形成された孔に、インサートを取り付ける方法であって、
少なくとも１つのインサートを用意し、この際に、前記少なくとも１つのインサートの各々を、
前記インサートが前記サンドイッチパネル内に取り付けられた際に、前記サンドイッチパネルの前記第１の外板及び前記第２の外板のうちの一方と係合するように構成されたパネル係合構造部と、
前記パネル係合構造部の反対側にある遠位端部と、
前記インサートが前記サンドイッチパネル内に取り付けられた際に、前記サンドイッチパネルの前記コアと係合するように構成されている本体であって、前記パネル係合構造部から前記遠位端部へと前記本体内に延びる穴が形成されている本体と、
接着剤を使用せずに前記サンドイッチパネル内に前記インサートを保持するように構成された保持部と、
前記サンドイッチパネルに対する前記インサートの回転を防止するように構成された回転防止部と、を含むものとし、前記回転防止部は、前記サンドイッチパネルに対する、前記穴の長軸を中心とする前記インサートの回転を阻止するように構成されており、前記インサートは、前記穴に二次的部材が挿入されるように構成されており、前記二次的部材は、前記インサートを介して、前記サンドイッチパネルに局所的負荷を伝達するように構成されており、
前記サンドイッチパネルに少なくとも１つの孔を形成し、前記サンドイッチパネルの前記第１の外板は、第１内側面、及び、これと反対側の第１外側面を有し、前記サンドイッチパネルの前記第２の外板は、第２内側面、及び、これと反対側の第２外側面を有し、前記第１外側面と第２外側面とは互いに反対側を向いており、前記コアは、前記第１の外板の前記第１内側面と前記第２の外板の前記第２内側面との間に挟まれており、前記少なくとも１つの孔を形成するに際し、前記第１の外板及び前記第２の外板のうちの少なくとも一方を貫通して前記コア内に延びるように少なくとも１つの孔を形成し、
前記少なくとも１つの孔の各々に少なくとも１つのインサートを取り付け、その際に、前記インサートの前記パネル係合構造部が前記サンドイッチパネルと係合し、前記インサートの前記本体が前記サンドイッチパネルの前記コア内の前記各孔内に位置するようにする、方法。
【０２７５】
付記１３．  前記少なくとも１つのインサートを取り付けるに際し、前記少なくとも１つのインサートを前記孔の長軸を中心として回転させ、任意には、前記インサートを、少なくとも５°、少なくとも１０°、少なくとも２０°、少なくとも３０°、少なくとも４０°、少なくとも５０°、少なくとも６０°、少なくとも７０°、少なくとも８０°、少なくとも９０°、少なくとも１２０°、少なくとも１５０°、及び／又は、少なくとも１８０°回転させる、付記１２に記載の方法。
【０２７６】
付記１４．  前記少なくとも１つのインサートを取り付けるに際し、前記孔に隣接する位置において、前記第１の外板と前記コアとの接合を破断する、付記１２に記載の方法。
【０２７７】
付記１５．  前記少なくとも１つのインサートを取り付けるに際し、前記孔に隣接する位置において、前記第２の外板と前記コアとの接合を破断する、請求項１２に記載の方法。
【０２７８】
付記１６．  さらに、前記少なくとも１つのインサートの各々の前記孔に、少なくとも１つの二次的部材を挿入し、前記少なくとも１つの二次的部材は、前記インサートを介して、前記サンドイッチパネルに局所的負荷を伝達するように構成されている、付記１２に記載の方法。
【０２７９】
付記１７．  前記少なくとも１つのインサートを取り付けることは、ポッティング剤、即時硬化性の接着剤、又は、紫外線硬化性接着剤を使用せずに行われる、付記１２に記載の方法。
【０２８０】
付記１８．  前記サンドイッチパネルに前記少なくとも１つの孔を形成すること、及び、前記少なくとも１つの孔の各々に前記少なくとも１つのインサートを取り付けることのうちの１つ又は複数は、自動化されている、付記１２に記載の方法。
【０２８１】
付記１９．  さらに、前記少なくとも１つのインサートにリテイナーを取り付け、前記リテイナーは、前記サンドイッチパネルに対する、前記少なくとも１つのインサートの動きを阻止するように構成されている、付記１２に記載の方法。
【０２８２】
付記２０．  前記リテイナーは複数のタブを含み、前記複数のタブの各々の少なくとも一部は、前記第１の外板の前記第１内側面と前記コアとの間に配置されるように構成されている、付記１９に記載の方法。
【０２８３】
付記２１．  前記リテイナーは複数のタブを含み、前記複数のタブの各々の少なくとも一部は、前記第２の外板の前記第２内側面と前記コアとの間に配置されるように構成されている、付記１９に記載の方法。
【０２８４】
本明細書に開示した、装置の種々の要素及び方法の工程が、本開示による装置及び方法のすべてに必要であるというわけではなく、本開示は、本明細書で開示した種々の要素及び工程の新規且つ非自明の組み合わせ及び部分的組み合わせを、すべて含むものである。また、本明細書に開示した種々の要素及び工程の１つ又は複数は、開示された装置又は方法の全体とは切り離された独立した発明の要旨を規定する場合がある。従って、そのような発明の要旨は、本明細書に明白に開示した特定の装置及び方法と関連付けられている必要はなく、そのような発明の要旨は、本明細書に明白に開示されていない装置及び／又は方法に有用性を見出すかもしれない。
【図１】
0006572182.tif 000002
【図２】
0006572182.tif 000003
【図３】
0006572182.tif 000004
【図４】
0006572182.tif 000005
【図５】
0006572182.tif 000006
【図６】
0006572182.tif 000007
【図７】
0006572182.tif 000008
【図８】
0006572182.tif 000009
【図９】
0006572182.tif 000010
【図１０】
0006572182.tif 000011
【図１１】
0006572182.tif 000012
【図１２】
0006572182.tif 000013
【図１３】
0006572182.tif 000014
【図１４】
0006572182.tif 000015
【図１５】
0006572182.tif 000016
【図１６】
0006572182.tif 000017
【図１７】
0006572182.tif 000018
【図１８】
0006572182.tif 000019
【図１９】
0006572182.tif 000020
【図２０】
0006572182.tif 000021
【図２１】
0006572182.tif 000022
【図２２】
0006572182.tif 000023
【図２３】
0006572182.tif 000024
【図２４】
0006572182.tif 000025
【図２５】
0006572182.tif 000026
【図２６】
0006572182.tif 000027
【図２７】
0006572182.tif 000028
【図２８】
0006572182.tif 000029
【図２９】
0006572182.tif 000030
【図３０】
0006572182.tif 000031
【図３１】
0006572182.tif 000032
【図３２】
0006572182.tif 000033
【図３３】
0006572182.tif 000034
【図３４】
0006572182.tif 000035
【図３５】
0006572182.tif 000036
【図３６】
0006572182.tif 000037
【図３７】
0006572182.tif 000038
【図３８】
0006572182.tif 000039
【図３９】
0006572182.tif 000040
【図４０】
0006572182.tif 000041
【図４１】
0006572182.tif 000042
【図４２】
0006572182.tif 000043
【図４３】
0006572182.tif 000044
【図４４】
0006572182.tif 000045
【図４５】
0006572182.tif 000046
【図４６】
0006572182.tif 000047
【図４７】
0006572182.tif 000048
【図４８】
0006572182.tif 000049